(57)【要約】【課題】機器の識別情報と対応付けて保存された当該機器の時系列の計測結果において、異なる機器の計測結果が混在してしまうことを防ぐことが可能な電力消費管理装置、電力消費管理システムおよび電力消費管理プログラムを提供する。【解決手段】電力消費管理装置は、計測装置による機器の時系列の計測結果を示す計測情報および前記計測装置の識別情報を取得する第１取得部と、前記機器の識別情報を取得する第２取得部と、前記計測装置の識別情報を用いて、前記計測情報と前記機器の識別情報とを対応付けて保存するデータ処理部とを備え、前記データ処理部は、前記計測装置と前記機器との対応状況が解消された場合、前記第１取得部によって新たに取得された前記計測情報と前記機器の識別情報との対応付けを行わない。【選択図】図３
2017158321.tif 000002
【特許請求の範囲】
【請求項１】
計測装置による機器の時系列の計測結果を示す計測情報および前記計測装置の識別情報を取得する第１取得部と、
前記機器の識別情報を取得する第２取得部と、
前記計測装置の識別情報を用いて、前記計測情報と前記機器の識別情報とを対応付けて保存するデータ処理部とを備え、
前記データ処理部は、前記計測装置と前記機器との対応状況が解消された場合、前記第１取得部によって新たに取得された前記計測情報と前記機器の識別情報との対応付けを行わない、電力消費管理装置。
【請求項２】
前記データ処理部は、前記対応状況が解消された後、前記計測装置の計測対象として新たな前記機器の識別情報が前記第２取得部によって取得された場合、前記計測装置の識別情報を用いて、前記第１取得部によって新たに取得された前記計測情報と前記新たな機器の識別情報とを対応付けて保存する、請求項１に記載の電力消費管理装置。
【請求項３】
前記データ処理部は、前記対応状況が解消された後、新たな前記計測装置からの前記計測情報および前記新たな計測装置の識別情報が前記第１取得部によって取得された場合、前記新たな計測装置の識別情報を用いて、前記第１取得部によって取得された前記新たな計測装置からの前記計測情報と前記機器の識別情報とを対応付けて保存する、請求項１または請求項２に記載の電力消費管理装置。
【請求項４】
前記電力消費管理装置は、さらに、
前記計測対象である機器の登録操作を受け付ける受付部を備え、
前記第２取得部は、前記受付部が受け付けた前記登録操作に基づいて前記機器の識別情報を取得し、
前記受付部は、異なる前記計測装置に対する同じ機器の登録操作を受け付けない、請求項１から請求項３のいずれか１項に記載の電力消費管理装置。
【請求項５】
前記電力消費管理装置は、さらに、
前記対応状況の解消タイミングを判断可能な情報を前記計測装置から取得する第３取得部を備え、
前記データ処理部は、前記第３取得部によって取得された前記情報に基づく前記解消タイミングまでの前記計測情報と前記機器の識別情報とを対応付けて保存する、請求項１から請求項４のいずれか１項に記載の電力消費管理装置。
【請求項６】
前記電力消費管理装置は、さらに、
前記対応状況の解消タイミングの入力操作を受け付ける受付部を備え、
前記データ処理部は、前記受付部が受け付けた前記入力操作の示す前記解消タイミングまでの前記計測情報と前記機器の識別情報とを対応付けて保存する、請求項１から請求項５のいずれか１項に記載の電力消費管理装置。
【請求項７】
前記計測装置は、電源からの電力を中継して前記機器に供給可能な装置に含まれる、請求項１から請求項６のいずれか１項に記載の電力消費管理装置。
【請求項８】
前記電力消費管理装置は、さらに、
前記対応状況の解消タイミングを表示する制御を行う表示制御部を備える、請求項１から請求項７のいずれか１項に記載の電力消費管理装置。
【請求項９】
計測対象の機器の計測を行う計測装置と、
電力消費管理装置とを備え、
前記計測装置は、前記機器の時系列の計測結果を示す計測情報および前記計測装置の識別情報を前記電力消費管理装置へ送信し、
前記電力消費管理装置は、前記計測情報および前記計測装置の識別情報を前記計測装置から受信し、前記機器の識別情報を取得し、前記計測装置の識別情報を用いて、前記計測情報と前記機器の識別情報とを対応付けて保存し、
前記電力消費管理装置は、前記計測装置と前記機器との対応状況が解消された場合、新たに受信した前記計測情報と前記機器の識別情報との対応付けを行わない、電力消費管理システム。
【請求項１０】
電力消費管理装置において用いられる電力消費管理プログラムであって、
コンピュータを、
計測装置による機器の時系列の計測結果を示す計測情報および前記計測装置の識別情報を取得する第１取得部と、
前記機器の識別情報を取得する第２取得部と、
前記計測装置の識別情報を用いて、前記計測情報と前記機器の識別情報とを対応付けて保存するデータ処理部と、
として機能させるためのプログラムであり、
前記データ処理部は、前記計測装置と前記機器との対応状況が解消された場合、前記第１取得部によって新たに取得された前記計測情報と前記機器の識別情報との対応付けを行わない、電力消費管理プログラム。
【発明の詳細な説明】
【技術分野】
【０００１】
本発明は、電力消費管理装置、電力消費管理システムおよび電力消費管理プログラムに関し、特に、計測装置による計測結果を保存する電力消費管理装置、電力消費管理システムおよび電力消費管理プログラムに関する。
【背景技術】
【０００２】
一般家庭等において、各種機器と通信することにより複数の機器を管理する機器管理システムが開発されている（たとえば、「ＥＣＨＯＮＥＴ  Ｌｉｔｅ規格書  Ｖｅｒ１．１０」、エコーネットコンソーシアム、２０１３年５月３１日発行（非特許文献１）参照）。
【先行技術文献】
【非特許文献】
【０００３】
【非特許文献１】「ＥＣＨＯＮＥＴ  Ｌｉｔｅ規格書  Ｖｅｒ１．１０」、エコーネットコンソーシアム、２０１３年５月３１日発行
【発明の概要】
【発明が解決しようとする課題】
【０００４】
たとえば、電力消費管理装置は、ＨＥＭＳ（Ｈｏｍｅ  Ｅｎｅｒｇｙ  Ｍａｎａｇｅｍｅｎｔ  Ｓｙｓｔｅｍ）等のシステムにおいて用いられる装置であり、各機器における消費電力量を管理する。
【０００５】
具体的には、電力消費管理装置は、非特許文献１に記載の規格に従って、機器における消費電力量を当該機器から直接取得し、取得した消費電力量を当該機器の識別情報に対応付けて保存する。
【０００６】
また、電力消費管理装置は、機器の計測を行った計測装置から当該機器における消費電力量を取得し、取得した消費電力量を、予め登録された当該機器の識別情報に対応付けて保存することがある。
【０００７】
このような場合において、ユーザが計測装置の計測対象の機器を変更すると、電力消費管理装置は、計測装置から新たに取得した消費電力量を、変更前の機器の識別情報に対応付けて保存してしまう。
【０００８】
このため、電力消費管理装置により保存された時系列の消費電力量において、変更前および変更後のいずれの機器における消費電力量であるかが分からなくなってしまう。
【０００９】
この発明は、上述の課題を解決するためになされたもので、その目的は、機器の識別情報と対応付けて保存された当該機器の時系列の計測結果において、異なる機器の計測結果が混在してしまうことを防ぐことが可能な電力消費管理装置、電力消費管理システムおよび電力消費管理プログラムを提供することである。
【課題を解決するための手段】
【００１０】
（１）上記課題を解決するために、この発明のある局面に係わる電力消費管理装置は、計測装置による機器の時系列の計測結果を示す計測情報および前記計測装置の識別情報を取得する第１取得部と、前記機器の識別情報を取得する第２取得部と、前記計測装置の識別情報を用いて、前記計測情報と前記機器の識別情報とを対応付けて保存するデータ処理部とを備え、前記データ処理部は、前記計測装置と前記機器との対応状況が解消された場合、前記第１取得部によって新たに取得された前記計測情報と前記機器の識別情報との対応付けを行わない。
【００１１】
（９）上記課題を解決するために、この発明のある局面に係わる電力消費管理システムは、計測対象の機器の計測を行う計測装置と、電力消費管理装置とを備え、前記計測装置は、前記機器の時系列の計測結果を示す計測情報および前記計測装置の識別情報を前記電力消費管理装置へ送信し、前記電力消費管理装置は、前記計測情報および前記計測装置の識別情報を前記計測装置から受信し、前記機器の識別情報を取得し、前記計測装置の識別情報を用いて、前記計測情報と前記機器の識別情報とを対応付けて保存し、前記電力消費管理装置は、前記計測装置と前記機器との対応状況が解消された場合、新たに受信した前記計測情報と前記機器の識別情報との対応付けを行わない。
【００１２】
（１０）上記課題を解決するために、この発明のある局面に係わる電力消費管理プログラムは、電力消費管理装置において用いられる電力消費管理プログラムであって、コンピュータを、計測装置による機器の時系列の計測結果を示す計測情報および前記計測装置の識別情報を取得する第１取得部と、前記機器の識別情報を取得する第２取得部と、前記計測装置の識別情報を用いて、前記計測情報と前記機器の識別情報とを対応付けて保存するデータ処理部と、として機能させるためのプログラムであり、前記データ処理部は、前記計測装置と前記機器との対応状況が解消された場合、前記第１取得部によって新たに取得された前記計測情報と前記機器の識別情報との対応付けを行わない。
【００１３】
本発明は、このような特徴的な処理部を備える電力消費管理装置として実現することができるだけでなく、かかる特徴的な処理をステップとする方法として実現したり、電力消費管理装置の一部または全部を実現する半導体集積回路として実現したりすることができる。
【００１４】
また、本発明は、このような特徴的な処理部を備える電力消費管理システムとして実現することができるだけでなく、かかる特徴的な処理をステップとする方法として実現したり、電力消費管理システムの一部または全部を実現する半導体集積回路として実現したりすることができる。
【発明の効果】
【００１５】
本発明によれば、機器の識別情報と対応付けて保存された当該機器の時系列の計測結果において、異なる機器の計測結果が混在してしまうことを防ぐことができる。
【図面の簡単な説明】
【００１６】
【図１】図１は、本発明の第１の実施の形態に係る電力消費管理システムの構成を示す図である。
【図２】図２は、本発明の第１の実施の形態に係る電力消費管理システムにおける電源タップの構成を示す図である。
【図３】図３は、本発明の第１の実施の形態に係る電力消費管理システムにおける電力消費管理装置の構成を示す図である。
【図４】図４は、本発明の第１の実施の形態に係る電力消費管理装置における記憶部が保持する対応表の一例を示す図である。
【図５】図５は、本発明の第１の実施の形態に係る電力消費管理装置における記憶部が保持する登録テーブルの一例を示す図である。
【図６】図６は、本発明の第１の実施の形態に係る電力消費管理装置における記憶部が保持する計測データ表の一例を示す図である。
【図７】図７は、本発明の第１の実施の形態に係る電力消費管理装置における記憶部が保持する計測データ表の一例を示す図である。
【図８】図８は、本発明の第１の実施の形態に係る電力消費管理装置における記憶部が保持する解消タイミング表の一例を示す図である。
【図９】図９は、本発明の第１の実施の形態に係る電力消費管理装置における記憶部が保持する解消タイミング表の一例を示す図である。
【図１０】図１０は、本発明の第１の実施の形態に係る電力消費管理システムにおいて、表示装置に表示された画面の一例を示す図である。
【図１１】図１１は、本発明の第１の実施の形態に係る電力消費管理システムにおいて、表示装置に表示された画面の一例を示す図である。
【図１２】図１２は、本発明の第１の実施の形態に係る電力消費管理システムにおいて、表示装置に表示された画面の一例を示す図である。
【図１３】図１３は、本発明の第１の実施の形態に係る電力消費管理システムにおいて、表示装置に表示された画面の一例を示す図である。
【図１４】図１４は、本発明の第１の実施の形態に係る電力消費管理システムにおいて、表示装置に表示された画面の一例を示す図である。
【図１５】図１５は、本発明の第１の実施の形態に係る電力消費管理システムにおいて、表示装置に表示された画面の一例を示す図である。
【図１６】図１６は、本発明の第１の実施の形態に係る電力消費管理装置における記憶部が保持する登録テーブルの一例を示す図である。
【図１７】図１７は、本発明の第１の実施の形態に係る電力消費管理装置における記憶部が保持する対応表の一例を示す図である。
【図１８】図１８は、本発明の第１の実施の形態に係る電力消費管理システムにおいて、表示装置に表示された画面の一例を示す図である。
【図１９】図１９は、本発明の第１の実施の形態に係る電力消費管理システムにおいて、表示装置に表示された画面の一例を示す図である。
【図２０】図２０は、本発明の第１の実施の形態に係る電力消費管理システムにおいて、表示装置に表示された画面の一例を示す図である。
【図２１】図２１は、本発明の第１の実施の形態に係る電力消費管理システムにおいて、表示装置に表示された画面の一例を示す図である。
【図２２】図２２は、本発明の第１の実施の形態に係る電力消費管理システムにおいて、電力消費管理装置が計測装置から計測情報を取得して保存する際のシーケンスの一例を示す図である。
【図２３】図２３は、本発明の第２の実施の形態に係る電力消費管理システムの構成を示す図である。
【図２４】図２４は、本発明の第２の実施の形態に係る電力消費管理システムにおける電力消費管理装置の構成を示す図である。
【図２５】図２５は、本発明の第２の実施の形態に係る電力消費管理装置における記憶部が保持する対応表の一例を示す図である。
【図２６】図２６は、本発明の第２の実施の形態に係る電力消費管理装置における記憶部が保持する登録テーブルの一例を示す図である。
【図２７】図２７は、本発明の第２の実施の形態に係る電力消費管理装置における記憶部が保持する対応表の一例を示す図である。
【図２８】図２８は、本発明の第２の実施の形態に係る電力消費管理システムにおいて、表示装置に表示された画面の一例を示す図である。
【図２９】図２９は、本発明の第２の実施の形態に係る電力消費管理システムにおいて、表示装置に表示された画面の一例を示す図である。
【図３０】図３０は、本発明の第２の実施の形態に係る電力消費管理システムにおいて、表示装置に表示された画面の一例を示す図である。
【図３１】図３１は、本発明の第２の実施の形態に係る電力消費管理装置における記憶部が保持する対応表の一例を示す図である。
【図３２】図３２は、本発明の第２の実施の形態に係る電力消費管理システムにおいて、表示装置に表示された画面の一例を示す図である。
【図３３】図３３は、本発明の第２の実施の形態に係る電力消費管理システムにおいて、電力消費管理装置が計測装置から計測情報を取得して保存する際のシーケンスの一例を示す図である。
【図３４】図３４は、本発明の第３の実施の形態に係る電力消費管理システムの構成を示す図である。
【図３５】図３５は、本発明の第３の実施の形態に係る電力消費管理システムにおける電源タップの構成を示す図である。
【図３６】図３６は、本発明の第３の実施の形態に係る電力消費管理システムにおける電力消費管理装置の構成を示す図である。
【図３７】図３７は、本発明の第３の実施の形態に係る電力消費管理装置における記憶部が保持する対応表の一例を示す図である。
【図３８】図３８は、本発明の第３の実施の形態に係る電力消費管理装置における記憶部が保持する登録テーブルの一例を示す図である。
【図３９】図３９は、本発明の第３の実施の形態に係る電力消費管理装置における記憶部が保持する対応表の一例を示す図である。
【図４０】図４０は、本発明の第３の実施の形態に係る電力消費管理装置における記憶部が保持する登録テーブルの一例を示す図である。
【図４１】図４１は、本発明の第４の実施の形態に係る電力消費管理システムにおいて、表示装置に表示された画面の一例を示す図である。
【図４２】図４２は、本発明の第４の実施の形態に係る電力消費管理システムにおいて、表示装置に表示された画面の一例を示す図である。
【図４３】図４３は、本発明の第４の実施の形態に係る電力消費管理システムにおける電力消費管理装置の構成を示す図である。
【図４４】図４４は、本発明の第４の実施の形態に係る電力消費管理システムにおいて、表示装置に表示された画面の一例を示す図である。
【図４５】図４５は、本発明の第４の実施の形態に係る電力消費管理システムにおいて、表示装置に表示された画面の一例を示す図である。
【図４６】図４６は、本発明の第４の実施の形態に係る電力消費管理システムにおいて、表示装置に表示された画面の一例を示す図である。
【図４７】図４７は、本発明の第４の実施の形態に係る電力消費管理システムにおいて、表示装置に表示された画面の一例を示す図である。
【図４８】図４８は、本発明の第４の実施の形態に係る電力消費管理システムにおいて、表示装置に表示された画面の一例を示す図である。
【図４９】図４９は、本発明の第４の実施の形態に係る電力消費管理システムにおいて、表示装置に表示された画面の一例を示す図である。
【発明を実施するための形態】
【００１７】
最初に、本発明の実施形態の内容を列記して説明する。
【００１８】
（１）本発明の実施の形態に係る電力消費管理装置は、計測装置による機器の時系列の計測結果を示す計測情報および前記計測装置の識別情報を取得する第１取得部と、前記機器の識別情報を取得する第２取得部と、前記計測装置の識別情報を用いて、前記計測情報と前記機器の識別情報とを対応付けて保存するデータ処理部とを備え、前記データ処理部は、前記計測装置と前記機器との対応状況が解消された場合、前記第１取得部によって新たに取得された前記計測情報と前記機器の識別情報との対応付けを行わない。
【００１９】
このような構成により、対応状況が解消された後のタイミングにおいて取得した計測情報を、解消前の機器の識別情報に対応付けて保存してしまうことを防ぐことができる。したがって、機器の識別情報と対応付けて保存された当該機器の時系列の計測結果において、異なる機器の計測結果が混在してしまうことを防ぐことができる。
【００２０】
（２）好ましくは、前記データ処理部は、前記対応状況が解消された後、前記計測装置の計測対象として新たな前記機器の識別情報が前記第２取得部によって取得された場合、前記計測装置の識別情報を用いて、前記第１取得部によって新たに取得された前記計測情報と前記新たな機器の識別情報とを対応付けて保存する。
【００２１】
このように、対応状況が解消された後のタイミングにおいて取得した計測情報を、新たな機器の識別情報に対応付けて保存する構成により、新たな機器の計測結果を、解消前の機器の計測結果と混在させることなく正しく保存することができる。
【００２２】
（３）好ましくは、前記データ処理部は、前記対応状況が解消された後、新たな前記計測装置からの前記計測情報および前記新たな計測装置の識別情報が前記第１取得部によって取得された場合、前記新たな計測装置の識別情報を用いて、前記第１取得部によって取得された前記新たな計測装置からの前記計測情報と前記機器の識別情報とを対応付けて保存する。
【００２３】
このように、対応状況が解消された後のタイミングにおいて取得した計測情報を、新たな計測装置の識別情報を用いて、解消前の機器の識別情報に対応付けて保存する構成により、新たな計測結果を、解消前に保存した計測結果との連続性を確保しながら保存することができる。
【００２４】
（４）好ましくは、前記電力消費管理装置は、さらに、前記計測対象である機器の登録操作を受け付ける受付部を備え、前記第２取得部は、前記受付部が受け付けた前記登録操作に基づいて前記機器の識別情報を取得し、前記受付部は、異なる前記計測装置に対する同じ機器の登録操作を受け付けない。
【００２５】
このように、異なる計測装置に対して同じ機器の識別情報が同時に登録されない構成により、異なる機器の計測結果を同じ機器の識別情報に対応付けて保存してしまうことを防ぐことができる。
【００２６】
（５）好ましくは、前記電力消費管理装置は、さらに、前記対応状況の解消タイミングを判断可能な情報を前記計測装置から取得する第３取得部を備え、前記データ処理部は、前記第３取得部によって取得された前記情報に基づく前記解消タイミングまでの前記計測情報と前記機器の識別情報とを対応付けて保存する。
【００２７】
このような構成により、対応状況の解消タイミングを自動的に判断することができるので、機器の識別情報と対応付けて保存された時系列の計測情報において、異なる機器の計測結果が混在してしまうことを簡易かつ確実に防ぐことができる。
【００２８】
（６）好ましくは、前記電力消費管理装置は、さらに、前記対応状況の解消タイミングの入力操作を受け付ける受付部を備え、前記データ処理部は、前記受付部が受け付けた前記入力操作の示す前記解消タイミングまでの前記計測情報と前記機器の識別情報とを対応付けて保存する。
【００２９】
このような構成により、機器の識別情報と対応付けて保存された時系列の計測情報において、異なる機器の計測結果が混在している場合においても、対応状況の解消タイミングを手動で設定することができるので、計測結果の混在状態を修正することができる。
【００３０】
（７）好ましくは、前記計測装置は、電源からの電力を中継して前記機器に供給可能な装置に含まれる。
【００３１】
このように、計測装置が、電力の中継先の機器が変更される可能性の高い電源タップ等の装置に含まれる構成により、電力消費管理装置の有用性が発揮される機会を増加させることができる。
【００３２】
（８）好ましくは、前記電力消費管理装置は、さらに、前記対応状況の解消タイミングを表示する制御を行う表示制御部を備える。
【００３３】
このような構成により、ユーザは、解消タイミングを視認することができるので、たとえば、自己が対応状況を解消したタイミングが、視認した解消タイミングと整合しているか否かを判断することができる。
【００３４】
（９）本発明の実施の形態に係る電力消費管理システムは、計測対象の機器の計測を行う計測装置と、電力消費管理装置とを備え、前記計測装置は、前記機器の時系列の計測結果を示す計測情報および前記計測装置の識別情報を前記電力消費管理装置へ送信し、前記電力消費管理装置は、前記計測情報および前記計測装置の識別情報を前記計測装置から受信し、前記機器の識別情報を取得し、前記計測装置の識別情報を用いて、前記計測情報と前記機器の識別情報とを対応付けて保存し、前記電力消費管理装置は、前記計測装置と前記機器との対応状況が解消された場合、新たに受信した前記計測情報と前記機器の識別情報との対応付けを行わない。
【００３５】
このような構成により、対応状況が解消された後のタイミングにおいて取得した計測情報を、解消前の機器の識別情報に対応付けて保存してしまうことを防ぐことができる。したがって、機器の識別情報と対応付けて保存された当該機器の時系列の計測結果において、異なる機器の計測結果が混在してしまうことを防ぐことができる。
【００３６】
（１０）本発明の実施の形態に係る電力消費管理プログラムは、電力消費管理装置において用いられる電力消費管理プログラムであって、コンピュータを、計測装置による機器の時系列の計測結果を示す計測情報および前記計測装置の識別情報を取得する第１取得部と、前記機器の識別情報を取得する第２取得部と、前記計測装置の識別情報を用いて、前記計測情報と前記機器の識別情報とを対応付けて保存するデータ処理部と、として機能させるためのプログラムであり、前記データ処理部は、前記計測装置と前記機器との対応状況が解消された場合、前記第１取得部によって新たに取得された前記計測情報と前記機器の識別情報との対応付けを行わない。
【００３７】
このような構成により、対応状況が解消された後のタイミングにおいて取得した計測情報を、解消前の機器の識別情報に対応付けて保存してしまうことを防ぐことができる。したがって、機器の識別情報と対応付けて保存された当該機器の時系列の計測結果において、異なる機器の計測結果が混在してしまうことを防ぐことができる。
【００３８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３９】
＜第１の実施の形態＞
［構成および基本動作］
図１は、本発明の第１の実施の形態に係る電力消費管理システムの構成を示す図である。
【００４０】
図１を参照して、電力消費管理システム３０１は、電力消費管理装置１０１と、２つの計測装置４２と、表示装置１７１とを備える。
【００４１】
電源タップ１５１Ａ，１５１Ｂの各々は、プラグ受け４１と、計測装置４２とを備える。以下、電源タップ１５１Ａ，１５１Ｂの各々を、電源タップ１５１とも称する。
【００４２】
機器１１１の一例である機器１１１Ａ，１１１Ｂ，１１１Ｃは、たとえばそれぞれエアコン、ゲーム機およびエアコンである。
【００４３】
図１では、２つの計測装置４２を代表的に示しているが、さらに多数または少数の計測装置４２が設けられてもよい。また、２つの電源タップ１５１を代表的に示しているが、さらに多数または少数の電源タップ１５１が設けられてもよい。また、３つの機器１１１を代表的に示しているが、さらに多数または少数の機器１１１が設けられてもよい。
【００４４】
電力消費管理システム３０１では、電力消費管理装置１０１および表示装置１７１が別体であるが、これらが一体であってもよい。
【００４５】
電源タップ１５１は、電源１からの電力を中継して機器１１１に供給可能な装置の一例である。より詳細には、電源タップ１５１Ａは、電源１に接続されたプラグ６１Ｅから電力線ＰＬ経由で受ける電力を、プラグ受け４１から出力して機器１１１Ａに供給する。
【００４６】
また、電源タップ１５１Ｂは、電源１に接続されたプラグ６１Ｄから電力線ＰＬ経由で受ける電力を、プラグ受け４１から出力して機器１１１Ｂに供給する。
【００４７】
機器１１１Ｃは、電源１に接続されたプラグ６１Ｃから電力線ＰＬ経由で受ける電力により動作する。また、機器１１１Ｃは、自己が消費した電力量を計測することが可能である。また、機器１１１Ｃは、自己の識別情報ＩＤｉとしてたとえば「ＣＣＣ」のエコーネットライト（登録商標）ＩＤを有する。
【００４８】
たとえば、機器１１１Ｃは、計測情報の要求を示す情報取得要求を電力消費管理装置１０１から内部ネットワーク１１経由で受信すると、自己が消費した電力量を計測し、計測結果を示す計測情報を内部ネットワーク１１経由で電力消費管理装置１０１へ送信する。
【００４９】
図２は、本発明の第１の実施の形態に係る電力消費管理システムにおける電源タップの構成を示す図である。
【００５０】
図２を参照して、計測装置４２は、無線通信部４４と、電流センサ４５と、不揮発性メモリ４６と、計測部４７と、カウンタ４８とを含む。
【００５１】
図１および図２を参照して、電源タップ１５１Ａ，１５１Ｂにそれぞれ備えられた計測装置４２は、電力線ＰＬから受ける電力により動作し、自己の識別情報ＩＤｍの一例として、それぞれ「ＡＡＡ」，「ＢＢＢ」のエコーネットライトＩＤを有する。
【００５２】
計測装置４２は、計測対象の機器１１１の計測を行う。より詳細には、計測装置４２は、時系列の計測結果を示す計測情報および自己の識別情報ＩＤｍを電力消費管理装置１０１へ送信する。
【００５３】
計測装置４２における不揮発性メモリ４６は、プラグ受け４１経由で機器１１１へ供給した電力量の値を保持する。当該電力量の値は、計測部４７により更新される。
【００５４】
カウンタ４８は、たとえば、水晶振動子を用いた発振回路等により生成されるクロックパルスをカウントし、カウントした値を保持する。
【００５５】
計測部４７は、たとえば、クランプ型の電流センサ４５を用いて、プラグ受け４１と電源１とを接続する電力線ＰＬを流れる電流を測定し、測定結果に基づいて、プラグ受け４１経由で機器１１１へ供給した電力を計測する。
【００５６】
計測部４７は、カウンタ４８におけるカウント値を参照することにより、連続する積算期間を認識する。計測部４７は、ある積算期間において計測した電力に基づいて、当該積算期間においてプラグ受け４１経由で機器１１１へ供給した電力量を算出し、算出した電力量を、不揮発性メモリ４６が保持する電力量に加える。
【００５７】
同様に、計測部４７は、次の積算期間において、プラグ受け４１経由で機器１１１へ供給した電力量を算出し、算出した電力量を、不揮発性メモリ４６が保持する電力量に加える。
【００５８】
このようにして、不揮発性メモリ４６が保持する電力量すなわち電源タップ１５１がプラグ受け４１経由で機器１１１へ供給した電力量が更新される。
【００５９】
無線通信部４４は、アクセスポイント１６１と情報の送受信を行う。アクセスポイント１６１は、計測装置４２における無線通信部４４から受信した情報を中継して内部ネットワーク１１経由で電力消費管理装置１０１へ送信するとともに、電力消費管理装置１０１から内部ネットワーク１１経由で受信した情報を中継して計測装置４２における無線通信部４４へ送信する。
【００６０】
無線通信部４４は、たとえば、電力消費管理装置１０１から情報取得要求を受信すると、不揮発性メモリ４６が保持する電力量を取得するとともに、カウンタ４８からカウント値すなわち送信時刻を取得する。
【００６１】
無線通信部４４は、取得した電力量および送信時刻を示す計測情報を作成し、作成した計測情報、および自己の計測装置４２の識別情報ＩＤｍを含む計測パケットを電力消費管理装置１０１へ送信する。
【００６２】
［課題］
再び図１を参照して、たとえば、電力消費管理装置１０１が、計測情報および識別情報ＩＤｍを電源タップ１５１Ａにおける計測装置４２から繰り返し取得し、取得した計測情報を当該識別情報ＩＤｍすなわちエコーネットライトＩＤである「ＡＡＡ」に対応付けて保存することにより、電源タップ１５１Ａが機器１１１Ａへ供給した電力量の時系列の計測結果を記録することが可能となる。
【００６３】
同様に、電力消費管理装置１０１が、計測情報および識別情報ＩＤｍを電源タップ１５１Ｂにおける計測装置４２から繰り返し取得し、取得した計測情報を当該識別情報ＩＤｍすなわち「ＢＢＢ」に対応付けて保存することにより、電源タップ１５１Ｂが機器１１１Ｂへ供給した電力量の時系列の計測結果を記録することが可能となる。
【００６４】
一方、ユーザが求める記録は、電源タップ１５１Ａ，１５１Ｂが機器１１１Ａ，１１１Ｂへそれぞれ供給した電力量の時系列の計測結果ではなく、機器１１１Ａ，１１１Ｂにおける消費電力量の時系列の計測結果であることが多い。
【００６５】
しかしながら、電力消費管理装置１０１が、電源タップ１５１Ａに接続された機器１１１Ａの識別情報ＩＤｉ、および電源タップ１５１Ｂに接続された機器１１１Ｂの識別情報ＩＤｉを認識することは、一般的に困難である。
【００６６】
たとえば、機器１１１Ａ，１１１Ｂにおける消費電力量の時系列の計測結果を記録する方法として、電源タップ１５１Ａ，１５１Ｂにおける計測装置４２から取得した計測情報をそれぞれ機器１１１Ａ，１１１Ｂの識別情報ＩＤｉに対応付けて保存する方法が考えられる。
【００６７】
しかしながら、ユーザが、プラグ６１Ａと電源タップ１５１Ａにおけるプラグ受け４１との接続、およびプラグ６１Ｂと電源タップ１５１Ｂにおけるプラグ受け４１との接続を解除した後、プラグ６１Ｂと電源タップ１５１Ａにおけるプラグ受け４１との接続を確立させると、以下の問題が生ずる。
【００６８】
すなわち、プラグ６１Ｂと電源タップ１５１Ａにおけるプラグ受け４１との接続を確立させたタイミング以降において、電力消費管理装置１０１は、機器１１１Ｂの計測結果を示す計測情報を取得するにも関わらず、当該計測情報を機器１１１Ａの識別情報ＩＤｉに対応付けて保存してしまう。
【００６９】
また、機器１１１Ｂの識別情報ＩＤｉに対応付けて保存された計測情報では、機器１１１Ｂにおける消費電力量の時系列の計測結果の記録が途中で途切れてしまい、当該記録に繋げるべき記録がどこに保存されるか分からなくなってしまう。
【００７０】
そこで、本発明の第１の実施の形態に係る電力消費管理装置では、以下のような構成および動作により、このような課題を解決する。
【００７１】
［電力消費管理装置の構成］
図３は、本発明の第１の実施の形態に係る電力消費管理システムにおける電力消費管理装置の構成を示す図である。
【００７２】
図３を参照して、電力消費管理装置１０１は、通信部（第１取得部）２１と、受付部２２と、データ処理部２３と、表示制御部２４と、記憶部２５と、処理部（第２取得部）２６と、カウンタ２７とを備える。
【００７３】
電力消費管理装置１０１におけるカウンタ２７の動作は、図２に示す計測装置４２におけるカウンタ４８と同様である。
【００７４】
通信部２１は、内部ネットワーク１１経由で電源タップ１５１Ａにおける計測装置４２、電源タップ１５１Ｂにおける計測装置４２および機器１１１Ｃと情報の送受信を行うことが可能である。
【００７５】
図４は、本発明の第１の実施の形態に係る電力消費管理装置における記憶部が保持する対応表の一例を示す図である。
【００７６】
図４を参照して、記憶部２５は、たとえば計測装置４２の「エコーネットライトＩＤ」と当該計測装置４２を含む電源タップ１５１に接続された機器１１１の識別情報ＩＤｉの一例である「機器ＩＤ」との対応関係を示す対応表ＣＴ１を保持する。機器ＩＤは、たとえばユーザにより登録される。
【００７７】
たとえば、図１に示す配置では、電源タップ１５１Ａには機器１１１Ａが接続されているので、機器１１１Ａの機器ＩＤは、「ＡＡＡ」に対応する「１」である。
【００７８】
同様に、電源タップ１５１Ｂには機器１１１Ｂが接続されているので、機器１１１Ｂの機器ＩＤは、「ＢＢＢ」に対応する「２」である。
【００７９】
図５は、本発明の第１の実施の形態に係る電力消費管理装置における記憶部が保持する登録テーブルの一例を示す図である。
【００８０】
図５を参照して、記憶部２５は、たとえば、機器１１１の登録情報の一例として、「機器ＩＤ」ごとの「機器名」，「電源タップ接続の有無」，「エコーネットライトＩＤ」を含む登録テーブルＲＴ１を保持する。「機器名」は、たとえばユーザにより登録される。
【００８１】
「機器ＩＤ」がそれぞれ「１」，「２」の機器１１１Ａ，１１１Ｂは、「電源タップ接続の有無」が「あり」であるため、接続先の電源タップ１５１が変更される場合がある。このため、「エコーネットライトＩＤ」の項目において、対応表を参照すべき旨が示される。
【００８２】
また、「機器ＩＤ」が「３」の機器１１１Ｃは、「電源タップ接続の有無」が「なし」であるため、自己のエコーネットライトＩＤが固定的に運用される。このため、「エコーネットライトＩＤ」の項目において固定値の「ＣＣＣ」が示される。
【００８３】
図６および図７は、本発明の第１の実施の形態に係る電力消費管理装置における記憶部が保持する計測データ表の一例を示す図である。
【００８４】
図６および図７を参照して、記憶部２５は、たとえば、図５に示す登録テーブルＲＴ１に登録されている機器ＩＤごとに、後述する電力量の増分、および送信時刻を含む計測データ表を保持する。具体的には、図６には、機器ＩＤが「１」に対応する計測データ表ＭＴ１が示される。図７には、機器ＩＤが「２」に対応する計測データ表ＭＴ２が示される。
【００８５】
図８および図９は、本発明の第１の実施の形態に係る電力消費管理装置における記憶部が保持する解消タイミング表の一例を示す図である。
【００８６】
図８および図９を参照して、記憶部２５は、たとえば、図５に示す登録テーブルＲＴ１において「電源タップ接続の有無」が「あり」に設定されている機器ＩＤごとに、計測装置４２と機器１１１との対応状況が解消されたタイミング（以下、解消タイミングとも称する。）を示す解消タイミング表を保持する。解消タイミング表には、たとえば過去１年分の解消タイミングが履歴として含まれる。
【００８７】
具体的には、図８には、機器ＩＤが「１」に対応する解消タイミング表ＤＴ１が示される。図９には、機器ＩＤが「２」に対応する解消タイミング表ＤＴ２が示される。
【００８８】
再び図３を参照して、通信部２１は、第１取得部として、計測装置４２による機器１１１の時系列の計測結果を示す計測情報および計測装置４２の識別情報ＩＤｍを取得する。
【００８９】
より詳細には、処理部２６は、カウンタ４８におけるカウント値を監視し、所定時間ごとたとえば３０分ごとの取得タイミングにおいて情報取得要求を作成する。
【００９０】
また、処理部２６は、図５に示す登録テーブルＲＴ１に登録された各機器ＩＤに対応するエコーネットライトＩＤを当該情報取得要求の送信先として取得する。この例では、処理部２６は、図５に示す登録テーブルＲＴ１、および図４に示す対応表ＣＴ１から「ＡＡＡ」，「ＢＢＢ」，「ＣＣＣ」を当該情報取得要求の送信先として取得する。
【００９１】
そして、処理部２６は、作成した情報取得要求、および取得した「ＡＡＡ」，「ＢＢＢ」，「ＣＣＣ」を通信部２１へ出力する。
【００９２】
通信部２１は、処理部２６から情報取得要求および「ＡＡＡ」，「ＢＢＢ」，「ＣＣＣ」を受けると、受けた「ＡＡＡ」，「ＢＢＢ」，「ＣＣＣ」を用いて、情報取得要求を電源タップ１５１Ａにおける計測装置４２，電源タップ１５１Ｂにおける計測装置４２，機器１１１Ｃへ内部ネットワーク１１経由でそれぞれ送信する。
【００９３】
通信部２１は、送信した情報取得要求の応答である計測パケットを受信すると、受信した計測パケットから計測情報、および計測装置４２の識別情報ＩＤｍすなわち「ＡＡＡ」、「ＢＢＢ」または「ＣＣＣ」を取得し、取得した計測情報および「ＡＡＡ」、「ＢＢＢ」または「ＣＣＣ」をデータ処理部２３へ出力する。
【００９４】
データ処理部２３は、計測装置４２の識別情報ＩＤｍを用いて、計測情報と機器１１１の識別情報ＩＤｉとを対応付けて保存する。
【００９５】
より詳細には、データ処理部２３は、たとえば、通信部２１から計測情報および「ＡＡＡ」を受けると、今回受けた計測情報の示す電力量から、前回電源タップ１５１Ａにおける計測装置４２から取得した計測情報の示す電力量を差し引くことにより電力量の増分を算出する。
【００９６】
また、データ処理部２３は、記憶部２５が保持する対応表ＣＴ１（図４参照）から、「ＡＡＡ」に対応する「機器ＩＤ」である「１」を取得する。
【００９７】
データ処理部２３は、記憶部２５が保持する、機器ＩＤが「１」に対応する計測データ表ＭＴ１（図６参照）において、算出した電力量の増分、および計測情報の示す送信時刻を追加する。
【００９８】
同様に、データ処理部２３は、たとえば、通信部２１から計測情報および「ＢＢＢ」を受けると、今回受けた計測情報の示す電力量から、前回電源タップ１５１Ｂにおける計測装置４２から取得した計測情報の示す電力量を差し引くことにより電力量の増分を算出する。
【００９９】
また、データ処理部２３は、記憶部２５が保持する対応表ＣＴ１（図４参照）から、「ＢＢＢ」に対応する「機器ＩＤ」である「２」を取得する。
【０１００】
データ処理部２３は、記憶部２５が保持する、機器ＩＤが「２」に対応する計測データ表ＭＴ２（図７参照）において、算出した電力量の増分、および計測情報の示す送信時刻を追加する。
【０１０１】
たとえば、データ処理部２３は、通信部２１から計測情報および「ＣＣＣ」を受けると、今回受けた計測情報の示す電力量から、前回機器１１１Ｃから取得した計測情報の示す電力量を差し引くことにより電力量の増分を算出する。
【０１０２】
また、データ処理部２３は、記憶部２５が保持する登録テーブルＲＴ１（図５参照）から、「ＣＣＣ」に対応する「機器ＩＤ」である「３」を取得する。
【０１０３】
データ処理部２３は、記憶部２５が保持する、機器ＩＤが「３」に対応する図示しない計測データ表において、算出した電力量の増分、および計測情報の示す送信時刻を追加する。
【０１０４】
図１０〜図１５は、本発明の第１の実施の形態に係る電力消費管理システムにおいて、表示装置に表示された画面の一例を示す図である。図１０には、機器１１１を登録するための「接続機器設定画面」の一例である画面Ｓｃ１が示される。
【０１０５】
図１０を参照して、画面Ｓｃ１は、図４に示す対応表ＣＴ１および図５に示す登録テーブルＲＴ１に基づいて作成される。より詳細には、画面Ｓｃ１において、機器ＩＤが「１」，「２」，「３」にそれぞれ対応する機器１１１Ａ，１１１Ｂ，１１１Ｃの「機器名」として、「エアコン１」，「ゲーム機」，「エアコン２」が表示されている。
【０１０６】
登録テーブルＲＴ１では、機器ＩＤが「１」に対応する「電源タップ接続の有無」の項目が「あり」であり、また、対応表ＣＴ１では、機器ＩＤが「１」に対応する「エコーネットライトＩＤ」の項目が「ＡＡＡ」であるので、「エアコン１」に対応する「センサ名」として、電源タップ１５１Ａにおける計測装置４２を示す「電源タップ１」が表示されている。
【０１０７】
登録テーブルＲＴ１では、機器ＩＤが「２」に対応する「電源タップ接続の有無」の項目が「あり」であり、また、対応表ＣＴ１では、機器ＩＤが「２」に対応する「エコーネットライトＩＤ」の項目が「ＢＢＢ」であるので、「ゲーム機」に対応する「センサ名」として、電源タップ１５１Ｂにおける計測装置４２を示す「電源タップ２」が表示されている。
【０１０８】
また、登録テーブルＲＴ１では、機器ＩＤが「３」に対応する「電源タップ接続の有無」の項目が「なし」であるので、「エアコン２」に対応する「センサ名」として「なし」が表示されている。
【０１０９】
ユーザは、ボタンＢｔ１１を選択する操作を受付部２２に対して行うことにより、機器１１１Ｃの登録を抹消することが可能である。この操作によって機器１１１Ｃの登録が抹消される際、機器１１１Ｃの機器ＩＤに対応する計測データ表は、記憶部２５から削除される。
【０１１０】
また、ユーザは、新たな「機器名」を領域Ｒｇ２に書き込んだ後、ボタンＢｔ１２を選択する操作を受付部２２に対して行うことにより、機器ＩＤが「４」の新たな機器１１１を登録することが可能である。
【０１１１】
再び図１を参照して、たとえば、ユーザは、プラグ６１Ａと電源タップ１５１Ａにおけるプラグ受け４１との接続、およびプラグ６１Ｂと電源タップ１５１Ｂにおけるプラグ受け４１との接続を解除した後、プラグ６１Ｂと電源タップ１５１Ａにおけるプラグ受け４１との接続を確立させ、画面Ｓｃ１を表示するための操作を電力消費管理装置１０１における受付部２２に対して行う。
【０１１２】
再び図３を参照して、受付部２２は、ユーザによる操作を受け付けると、受け付けた操作内容を示す操作情報を処理部２６へ出力する。
【０１１３】
処理部２６は、受付部２２から操作情報を受けると、受けた操作情報に従って、画面を示す画面情報を作成し、作成した画面情報を表示制御部２４へ出力する。
【０１１４】
表示制御部２４は、処理部２６から画面情報を受けると、受けた画面情報に基づいて、画面を表示装置１７１に表示する制御を行う。
【０１１５】
ユーザは、表示装置１７１に表示された画面Ｓｃ１を参照して、「電源タップ接続機器設定画面」を表示するためのボタンＢｔ１４を選択する操作を受付部２２に対して行う。
【０１１６】
図１１には、電源タップ１５１に接続する機器１１１を登録するための「電源タップ接続機器設定画面」の一例である画面Ｓｃ２が示される。画面Ｓｃ２は、図４に示す対応表ＣＴ１および図５に示す登録テーブルＲＴ１に基づいて作成される。
【０１１７】
図１１を参照して、画面Ｓｃ２において、「電源タップ１」に対応する「接続機器」を設定するためのドロップダウンリストＤＬ２１、および「電源タップ２」に対応する「接続機器」を設定するためのドロップダウンリストＤＬ２２が表示されている。
【０１１８】
図１２には、電源タップ１５１に接続する機器１１１を登録するための「電源タップ接続機器設定画面」の一例である画面Ｓｃ３が示される。
【０１１９】
図３および図１２を参照して、受付部２２は、たとえば、異なる計測装置４２に対する同じ機器１１１の登録操作を受け付けない。
【０１２０】
より詳細には、ユーザは、ドロップダウンリストＤＬ２１を開く操作を受付部２２に対して行うことにより、「電源タップ１」に対応する「接続機器」として選択可能な機器１１１のリストを表示することが可能である。機器ＩＤが「２」の機器１１１Ｂすなわち「ゲーム機」は、「電源タップ２」に対応する「接続機器」として設定されているため、ドロップダウンリストＤＬ２１におけるリストには表示されない。
【０１２１】
図１３には、電源タップ１５１に接続する機器１１１を登録するための「電源タップ接続機器設定画面」の一例である画面Ｓｃ４が示される。
【０１２２】
図１３を参照して、ユーザは、ドロップダウンリストＤＬ２２を開く操作を受付部２２に対して行うことにより、「電源タップ２」に対応する「接続機器」として選択可能な機器１１１のリストを表示することが可能である。機器ＩＤが「１」の機器１１１Ａすなわち「エアコン１」は、「電源タップ１」に対応する「接続機器」として設定されているため、ドロップダウンリストＤＬ２２におけるリストには表示されない。
【０１２３】
図１４には、電源タップ１５１に接続する機器１１１を登録するための「電源タップ接続機器設定画面」の一例である画面Ｓｃ５が示される。
【０１２４】
図１４を参照して、ユーザは、「電源タップ１」に対応する「接続機器」として「ゲーム機」を登録するために、たとえば「電源タップ２」と「ゲーム機」との対応関係を解消する。
【０１２５】
より詳細には、ユーザは、ドロップダウンリストＤＬ２２のリストにおいて、「なし」を選択する操作を受付部２２に対して行う。
【０１２６】
図１５には、「電源タップ接続機器設定画面」において、「電源タップ２」と「ゲーム機」との対応関係が解消された後の画面Ｓｃ６が示される。
【０１２７】
ユーザは、表示装置１７１に表示された画面Ｓｃ６を参照して、ドロップダウンリストＤＬ２１のリストにおいて、「ゲーム機（機器ＩＤ＝２）」を選択した後、計測対象である機器１１１Ｂの登録操作を受付部２２に対して行う、具体的には、設定を反映するためのボタンＢｔ２５を選択する操作を受付部２２に対して行う。
【０１２８】
受付部２２は、たとえば、計測対象である機器１１１Ｂの登録操作を受け付ける。より詳細には、受付部２２は、たとえば、当該登録操作を受け付けると、受け付けた操作内容を示す操作情報を処理部２６へ出力する。
【０１２９】
処理部２６は、第２取得部として、電源タップ１５１Ａにおける計測装置４２の計測対象である機器１１１Ｂの識別情報を取得する。具体的には、処理部２６は、たとえば、受付部２２が受け付けた登録操作に基づいて、機器１１１Ｂの識別情報ＩＤｉすなわち機器ＩＤとして「２」を取得する。
【０１３０】
図１６は、本発明の第１の実施の形態に係る電力消費管理装置における記憶部が保持する登録テーブルの一例を示す図である。
【０１３１】
図１６を参照して、処理部２６は、受付部２２から操作情報を受けると、受けた操作情報に従って、記憶部２５が保持する登録テーブルＲＴ１（図５参照）を登録テーブルＲＴ２に書き換える。
【０１３２】
より詳細には、処理部２６は、登録テーブルＲＴ１において、「機器ＩＤ」が「１」に対応する「電源タップ接続の有無」の項目を「あり」から「なし」に書き換えるとともに、「機器ＩＤ」が「１」に対応する「エコーネットライトＩＤ」の項目を「対応表参照」からたとえば割り当てなしを示す「ＮＡ」に書き換える。
【０１３３】
図１７は、本発明の第１の実施の形態に係る電力消費管理装置における記憶部が保持する対応表の一例を示す図である。
【０１３４】
図１７を参照して、処理部２６は、受付部２２から受けた操作情報に従って、記憶部２５が保持する対応表ＣＴ１（図４参照）を対応表ＣＴ２に書き換える。
【０１３５】
より詳細には、処理部２６は、対応表ＣＴ１において、「ＡＡＡ」に対応する「機器ＩＤ」の項目を「１」から「２」に書き換えるとともに、「ＢＢＢ」に対応する「機器ＩＤ」の項目を削除する、具体的には「２」からたとえば割り当てなしを示す「ＮＡ」に書き換える。
【０１３６】
再び図３を参照して、処理部２６は、受付部２２から受けた操作情報に従って、カウンタ２７からカウント値を解消タイミングとして取得する。そして、処理部２６は、取得した解消タイミングを、「機器ＩＤ」が「１」および「２」にそれぞれ対応する記憶部２５における解消タイミング表ＤＴ１（図８参照）およびＤＴ２（図９参照）に追加する。
【０１３７】
再び図１５を参照して、ユーザは、「接続機器設定画面」に戻るためのボタンＢｔ２４を選択する操作を受付部２２に対して行う。
【０１３８】
受付部２２は、ユーザによる操作を受け付けると、受け付けた操作内容を示す操作情報を処理部２６へ出力する。
【０１３９】
図１８は、本発明の第１の実施の形態に係る電力消費管理システムにおいて、表示装置に表示された画面の一例を示す図である。図１８には、「電源タップ１」に対応する機器１１１として「ゲーム機」が登録された後の「接続機器設定画面」の一例である画面Ｓｃ７が示される。
【０１４０】
図３および図１８を参照して、処理部２６は、受付部２２から操作情報を受けると、受けた操作情報に従って、図１７に示す対応表ＣＴ２および図１６に示す登録テーブルＲＴ２に基づいて、画面Ｓｃ７を示す画面情報Ｓｃｉ７を作成し、作成した画面情報Ｓｃｉ７を表示制御部２４へ出力する。
【０１４１】
表示制御部２４は、処理部２６から画面情報Ｓｃｉ７を受けると、受けた画面情報Ｓｃｉ７に基づいて、画面Ｓｃ７を表示装置１７１に表示する制御を行う。
【０１４２】
ユーザは、表示装置１７１に表示された画面Ｓｃ７を参照して、「電源タップ１」に対応する機器１１１として機器１１１Ｂすなわち「ゲーム機」の登録が完了したことを確認する。
【０１４３】
再び図３を参照して、処理部２６は、取得タイミングにおいて情報取得要求を作成する。また、処理部２６は、図１６に示す登録テーブルＲＴ２に登録された各機器ＩＤに対応するエコーネットライトＩＤを当該情報取得要求の送信先として取得する。この例では、処理部２６は、図１６に示す登録テーブルＲＴ２、および図１７に示す対応表ＣＴ２から「ＡＡＡ」，「ＣＣＣ」を当該情報取得要求の送信先として取得する。
【０１４４】
そして、処理部２６は、作成した情報取得要求、および取得した「ＡＡＡ」，「ＣＣＣ」を通信部２１へ出力する。
【０１４５】
通信部２１は、処理部２６から情報取得要求および「ＡＡＡ」，「ＣＣＣ」を受けると、受けた「ＡＡＡ」，「ＣＣＣ」を用いて、情報取得要求を電源タップ１５１Ａにおける計測装置４２，機器１１１Ｃへ内部ネットワーク１１経由でそれぞれ送信する。
【０１４６】
通信部２１は、送信した情報取得要求の応答である計測パケットを受信すると、受信した計測パケットから計測情報、および計測装置４２の識別情報ＩＤｍすなわち「ＡＡＡ」または「ＣＣＣ」を取得し、取得した計測情報および「ＡＡＡ」または「ＣＣＣ」をデータ処理部２３へ出力する。
【０１４７】
データ処理部２３は、電源タップ１５１Ａにおける計測装置４２と機器１１１Ａとの対応状況が解消された場合、通信部２１によって当該計測装置４２から新たに取得された計測情報と当該機器１１１Ａの識別情報ＩＤｉとの対応付けを行わない。
【０１４８】
より詳細には、データ処理部２３は、たとえば、電源タップ１５１Ａにおける計測装置４２と機器１１１Ａとの対応状況が解消された後、当該計測装置４２の計測対象として新たな機器１１１Ｂの識別情報ＩＤｉが処理部２６によって取得された場合、計測装置４２の識別情報ＩＤｍを用いて、通信部２１によって当該計測装置４２から新たに取得された計測情報と当該新たな機器１１１Ｂの識別情報ＩＤｉとを対応付けて保存する。
【０１４９】
具体的には、データ処理部２３は、たとえば、通信部２１から計測情報および「ＡＡＡ」を受けると、今回受けた計測情報の示す電力量から、前回電源タップ１５１Ａにおける計測装置４２から取得した計測情報の示す電力量を差し引くことにより電力量の増分を算出する。
【０１５０】
また、データ処理部２３は、記憶部２５が保持する対応表ＣＴ２（図１７参照）から、「ＡＡＡ」に対応する「機器ＩＤ」である「２」を取得する。
【０１５１】
データ処理部２３は、記憶部２５が保持する、機器ＩＤが「２」に対応する計測データ表ＭＴ２（図７参照）において、算出した電力量の増分、および計測情報の示す送信時刻を追加する。
【０１５２】
再び図１８を参照して、たとえば、ユーザは、各機器１１１における消費電力量の増分の時間変化を確認したい場合、「表示データ選択画面」を表示するためのボタンＢｔ１３を選択する操作を受付部２２に対して行う。
【０１５３】
図１９は、本発明の第１の実施の形態に係る電力消費管理システムにおいて、表示装置に表示された画面の一例を示す図である。図１９には、消費電力量の増分の時間変化を示すグラフの表示対象の機器１１１、および当該グラフの表示期間を選択するための「表示データ選択画面」の一例である画面Ｓｃ１１が示される。
【０１５４】
図３および図１９を参照して、たとえば、ユーザは、機器１１１Ａにおける消費電力量の増分の１か月分の時間変化を確認したい場合、画面Ｓｃ１１におけるボタンＢｔ３１を選択する操作を受付部２２に対して行う。
【０１５５】
受付部２２は、ユーザによる操作を受け付けると、受け付けた操作内容を示す操作情報を処理部２６へ出力する。
【０１５６】
図２０は、本発明の第１の実施の形態に係る電力消費管理システムにおいて、表示装置に表示された画面の一例を示す図である。図２０には、機器１１１Ａにおける消費電力量の増分の１か月分の時間変化を示すグラフを表示する画面Ｓｃ１２が示される。
【０１５７】
図３および図２０を参照して、処理部２６は、受付部２２から操作情報を受けると、受けた操作情報に従って、画面Ｓｃ１２を示す画面情報Ｓｃｉ１２を作成し、作成した画面情報Ｓｃｉ１２を表示制御部２４へ出力する。
【０１５８】
より詳細には、処理部２６は、記憶部２５が保持する、機器ＩＤが「１」に対応する計測データ表ＭＴ１（図６参照）から過去１か月分の電力量の増分を取得し、取得した電力量の増分を用いて、機器１１１Ａにおける消費電力量の増分の１か月分の時間変化を示す曲線Ｄａｔ１を描画する。
【０１５９】
また、処理部２６は、記憶部２５が保持する、機器ＩＤが「１」に対応する解消タイミング表ＤＴ１（図８参照）から過去１か月分の解消タイミングのデータを取得し、取得したデータを用いて、解消タイミングを示す直線Ｌｎ１を描画する。
【０１６０】
表示制御部２４は、たとえば、電源タップ１５１Ａにおける計測装置４２と機器１１１Ａとの対応状況の解消タイミングを表示する制御を行う。
【０１６１】
具体的には、表示制御部２４は、処理部２６から画面情報Ｓｃｉ１２を受けると、受けた画面情報Ｓｃｉ１２に基づいて、画面Ｓｃ１２を表示装置１７１に表示する制御を行う。
【０１６２】
再び図３および図１９を参照して、また、たとえば、ユーザは、機器１１１Ｂにおける消費電力量の増分の１か月分の時間変化を確認したい場合、画面Ｓｃ１１におけるボタンＢｔ３４を選択する操作を受付部２２に対して行う。
【０１６３】
受付部２２は、ユーザによる操作を受け付けると、受け付けた操作内容を示す操作情報を処理部２６へ出力する。
【０１６４】
図２１は、本発明の第１の実施の形態に係る電力消費管理システムにおいて、表示装置に表示された画面の一例を示す図である。図２１には、機器１１１Ｂにおける消費電力量の増分の１か月分の時間変化を示すグラフを表示する画面Ｓｃ１３が示される。
【０１６５】
図３および図２１を参照して、処理部２６は、受付部２２から操作情報を受けると、受けた操作情報に従って、画面Ｓｃ１３を示す画面情報Ｓｃｉ１３を作成し、作成した画面情報Ｓｃｉ１３を表示制御部２４へ出力する。
【０１６６】
より詳細には、処理部２６は、記憶部２５が保持する、機器ＩＤが「２」に対応する計測データ表ＭＴ２（図７参照）から過去１か月分の電力量の増分を取得し、取得した電力量の増分を用いて、機器１１１Ｂにおける消費電力量の増分の１か月分の時間変化を示す曲線Ｄａｔ２を描画する。
【０１６７】
また、処理部２６は、記憶部２５が保持する、機器ＩＤが「２」に対応する解消タイミング表ＤＴ２（図９参照）から過去１か月分の解消タイミングのデータを取得し、取得したデータを用いて、解消タイミングを示す直線Ｌｎ２を描画する。
【０１６８】
表示制御部２４は、たとえば、電源タップ１５１Ｂにおける計測装置４２と機器１１１Ｂとの対応状況の解消タイミングを表示する制御を行う。
【０１６９】
具体的には、表示制御部２４は、処理部２６から画面情報Ｓｃｉ１３を受けると、受けた画面情報Ｓｃｉ１３に基づいて、画面Ｓｃ１３を表示装置１７１に表示する制御を行う。
【０１７０】
［動作］
電力消費管理システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１７１】
図２２は、本発明の第１の実施の形態に係る電力消費管理システムにおいて、電力消費管理装置が計測装置から計測情報を取得して保存する際のシーケンスの一例を示す図である。
【０１７２】
図２２を参照して、まず、電力消費管理装置１０１は、たとえば３０分ごとの取得タイミングにおいて、登録テーブルＲＴ１および対応表ＣＴ１に基づいて、情報取得要求の送信先の計測装置４２のエコーネットライトＩＤすなわち「ＡＡＡ」，「ＢＢＢ」を識別情報ＩＤｍとして取得する（ステップＳ１０２）。
【０１７３】
次に、電力消費管理装置１０１は、取得した「ＡＡＡ」を用いて、情報取得要求を電源タップ１５１Ａにおける計測装置４２へ送信する（ステップＳ１０４）。
【０１７４】
また、電力消費管理装置１０１は、取得した「ＢＢＢ」を用いて、情報取得要求を電源タップ１５１Ｂにおける計測装置４２へ送信する（ステップＳ１０６）。
【０１７５】
次に、電源タップ１５１Ａにおける計測装置４２は、電力消費管理装置１０１から情報取得要求を受信すると、計測パケットを電力消費管理装置１０１へ送信する（ステップＳ１０８）。
【０１７６】
次に、電力消費管理装置１０１は、電源タップ１５１Ａにおける計測装置４２から計測パケットを受信すると、受信した計測パケットから計測情報、および当該計測装置４２の識別情報ＩＤｍすなわち「ＡＡＡ」を取得し、今回取得した計測情報、および前回取得した計測情報から電力量の増分を算出する（ステップＳ１１０）。
【０１７７】
次に、電力消費管理装置１０１は、対応表ＣＴ１を確認することにより「ＡＡＡ」に対応する「機器ＩＤ」が「１」であることを認識し、認識した「１」に対応する計測データ表ＭＴ１を、算出した電力量の増分の保存先として特定する（ステップＳ１１２）。
【０１７８】
次に、電力消費管理装置１０１は、特定した計測データ表ＭＴ１において、電力量の増分、および計測情報の示す送信時刻を追加する（ステップＳ１１４）。
【０１７９】
また、電源タップ１５１Ｂにおける計測装置４２は、電力消費管理装置１０１から情報取得要求を受信すると、計測パケットを電力消費管理装置１０１へ送信する（ステップＳ１１６）。
【０１８０】
次に、電力消費管理装置１０１は、電源タップ１５１Ｂにおける計測装置４２から計測パケットを受信すると、受信した計測パケットから計測情報、および当該計測装置４２の識別情報ＩＤｍすなわち「ＢＢＢ」を取得し、今回取得した計測情報、および前回取得した計測情報から電力量の増分を算出する（ステップＳ１１８）。
【０１８１】
次に、電力消費管理装置１０１は、対応表ＣＴ１を確認することにより「ＢＢＢ」に対応する「機器ＩＤ」が「２」であることを認識し、認識した「２」に対応する計測データ表ＭＴ２を、算出した電力量の増分の保存先として特定する（ステップＳ１２０）。
【０１８２】
次に、電力消費管理装置１０１は、特定した計測データ表ＭＴ２において、電力量の増分、および計測情報の示す送信時刻を追加する（ステップＳ１２２）。
【０１８３】
次に、ユーザは、たとえば、プラグ６１Ａと電源タップ１５１Ａにおけるプラグ受け４１との接続、およびプラグ６１Ｂと電源タップ１５１Ｂにおけるプラグ受け４１との接続を解除した後、プラグ６１Ｂと電源タップ１５１Ａにおけるプラグ受け４１との接続を確立させる（ステップＳ１２４）。
【０１８４】
次に、ユーザは、機器１１１Ｂの登録操作を受付部２２に対して行う（ステップＳ１２６）。
【０１８５】
次に、電力消費管理装置１０１は、ユーザによる登録操作に基づいて、登録テーブルＲＴ１をＲＴ２に更新する（ステップＳ１２８）。
【０１８６】
次に、電力消費管理装置１０１は、ユーザによる登録操作に基づいて、対応表ＣＴ１をＣＴ２に更新する（ステップＳ１３０）。
【０１８７】
次に、電力消費管理装置１０１は、取得タイミングにおいて、登録テーブルＲＴ２および対応表ＣＴ２に基づいて、情報取得要求の送信先の計測装置４２のエコーネットライトＩＤすなわち「ＡＡＡ」を識別情報ＩＤｍとして取得する（ステップＳ１３２）。
【０１８８】
次に、電力消費管理装置１０１は、取得した「ＡＡＡ」を用いて、情報取得要求を電源タップ１５１Ａにおける計測装置４２へ送信する（ステップＳ１３４）。
【０１８９】
次に、電源タップ１５１Ａにおける計測装置４２は、電力消費管理装置１０１から情報取得要求を受信すると、計測パケットを電力消費管理装置１０１へ送信する（ステップＳ１３６）。
【０１９０】
次に、電力消費管理装置１０１は、電源タップ１５１Ａにおける計測装置４２から計測パケットを受信すると、受信した計測パケットから計測情報、および当該計測装置４２の識別情報ＩＤｍすなわち「ＡＡＡ」を取得し、今回取得した計測情報、および前回取得した計測情報から電力量の増分を算出する（ステップＳ１３８）。
【０１９１】
次に、電力消費管理装置１０１は、対応表ＣＴ２を確認することにより「ＡＡＡ」に対応する「機器ＩＤ」が「２」であることを認識し、認識した「２」に対応する計測データ表ＭＴ２を、算出した電力量の増分の保存先として特定する（ステップＳ１４０）。
【０１９２】
次に、電力消費管理装置１０１は、特定した計測データ表ＭＴ２において、電力量の増分、および計測情報の示す送信時刻を追加する（ステップＳ１４２）。
【０１９３】
なお、上記ステップＳ１０８〜Ｓ１１４とステップＳ１１６〜Ｓ１２２との順番は、上記に限らず、順番を入れ替えてもよい。
【０１９４】
また、上記ステップＳ１２８およびステップＳ１３０の順番は、上記に限らず、順番を入れ替えてもよい。
【０１９５】
また、本発明の第１の実施の形態に係る電力消費管理装置は、受付部２２を備える構成であるとしたが、これに限定するものではない。電力消費管理装置１０１は、外部に受付部２２を備える構成であってもよい。
【０１９６】
また、本発明の第１の実施の形態に係る電力消費管理システムでは、計測装置４２は、電源タップ１５１に含まれる構成であるとしたが、これに限定するものではない。計測装置４２は、電源タップ１５１に含まれない構成であってもよい。たとえば、計測装置４２は、機器１１１Ａとプラグ６１Ａとを接続する電力線ＰＬ、または機器１１１Ｂとプラグ６１Ｂとを接続する電力線ＰＬ等に取り付けられてもよい。
【０１９７】
ところで、たとえば、電力消費管理装置は、ＨＥＭＳ等のシステムにおいて用いられる装置であり、各機器における消費電力量を管理する。
【０１９８】
具体的には、電力消費管理装置は、非特許文献１に記載の規格に従って、機器における消費電力量を当該機器から直接取得し、取得した消費電力量を当該機器の識別情報に対応付けて保存する。
【０１９９】
また、電力消費管理装置は、機器の計測を行った計測装置から当該機器における消費電力量を取得し、取得した消費電力量を、予め登録された当該機器の識別情報に対応付けて保存することがある。
【０２００】
このような場合において、ユーザが計測装置の計測対象の機器を変更すると、電力消費管理装置は、計測装置から新たに取得した消費電力量を、変更前の機器の識別情報に対応付けて保存してしまう。
【０２０１】
このため、電力消費管理装置により保存された時系列の消費電力量において、変更前および変更後のいずれの機器における消費電力量であるかが分からなくなってしまう。
【０２０２】
これに対して、本発明の第１の実施の形態に係る電力消費管理装置では、通信部２１は、計測装置４２による時系列の計測結果を示す計測情報および当該計測装置４２の識別情報を取得する。処理部２６は、計測装置４２の計測対象である機器１１１の識別情報を取得する。データ処理部２３は、計測装置４２の識別情報を用いて、計測情報と機器１１１の識別情報とを対応付けて保存する。そして、データ処理部２３は、計測装置４２と機器１１１との対応状況が解消された場合、通信部２１によって新たに取得された計測情報と当該機器１１１の識別情報との対応付けを行わない。
【０２０３】
このような構成により、対応状況が解消された後のタイミングにおいて取得した計測情報を、解消前の機器１１１の識別情報に対応付けて保存してしまうことを防ぐことができる。したがって、機器１１１の識別情報と対応付けて保存された当該機器１１１の時系列の計測結果において、異なる機器１１１の計測結果が混在してしまうことを防ぐことができる。
【０２０４】
また、本発明の第１の実施の形態に係る電力消費管理装置では、データ処理部２３は、対応状況が解消された後、計測装置４２の計測対象として新たな機器１１１の識別情報が処理部２６によって取得された場合、通信部２１によって新たに取得された計測情報と当該新たな機器１１１の識別情報とを対応付けて保存する。
【０２０５】
このように、対応状況が解消された後のタイミングにおいて取得した計測情報を、新たな機器１１１の識別情報に対応付けて保存する構成により、新たな機器１１１の計測結果を、解消前の機器１１１の計測結果と混在させることなく正しく保存することができる。
【０２０６】
また、本発明の第１の実施の形態に係る電力消費管理装置では、受付部２２は、計測対象である機器１１１の登録操作を受け付ける。処理部２６は、受付部２２が受け付けた登録操作に基づいて機器１１１の識別情報を取得する。そして、受付部２２は、異なる計測装置４２に対する同じ機器１１１の登録操作を受け付けない。
【０２０７】
このように、異なる計測装置４２に対して同じ機器１１１の識別情報が同時に登録されない構成により、異なる機器１１１の計測結果を同じ機器１１１の識別情報に対応付けて保存してしまうことを防ぐことができる。
【０２０８】
また、本発明の第１の実施の形態に係る電力消費管理装置では、計測装置４２は、電源１からの電力を中継して機器１１１に供給可能な装置に含まれる。
【０２０９】
このように、計測装置４２が、電力の中継先の機器が変更される可能性の高い電源タップ１５１等の装置に含まれる構成により、電力消費管理装置１０１の有用性が発揮される機会を増加させることができる。
【０２１０】
また、本発明の第１の実施の形態に係る電力消費管理装置では、表示制御部２４は、対応状況の解消タイミングを表示する制御を行う。
【０２１１】
このような構成により、ユーザは、解消タイミングを視認することができるので、たとえば、自己が対応状況を解消したタイミングが、視認した解消タイミングと整合しているか否かを判断することができる。
【０２１２】
また、本発明の第１の実施の形態に係る電力消費管理システムでは、計測装置４２は、計測対象の機器１１１の計測を行う。計測装置４２は、時系列の計測結果を示す計測情報および当該計測装置４２の識別情報を電力消費管理装置１０１へ送信する。電力消費管理装置１０１は、計測情報および計測装置４２の識別情報を当該計測装置４２から受信し、機器１１１の識別情報を取得し、当該計測装置４２の識別情報を用いて、計測情報と機器１１１の識別情報とを対応付けて保存する。そして、電力消費管理装置１０１は、計測装置４２と機器１１１との対応状況が解消された場合、新たに受信した計測情報と当該機器１１１の識別情報との対応付けを行わない。
【０２１３】
このような構成により、対応状況が解消された後のタイミングにおいて取得した計測情報を、解消前の機器１１１の識別情報に対応付けて保存してしまうことを防ぐことができる。したがって、機器１１１の識別情報と対応付けて保存された当該機器１１１の時系列の計測結果において、異なる機器１１１の計測結果が混在してしまうことを防ぐことができる。
【０２１４】
次に、本発明の他の実施の形態について図面を用いて説明する。なお、図中同一または相当部分には同一符号を付してその説明は繰り返さない。
【０２１５】
＜第２の実施の形態＞
本実施の形態は、第１の実施の形態に係る電力消費管理システムと比べてユーザが電源タップを交換するケースに対応可能な電力消費管理システムに関する。以下で説明する内容以外は第１の実施の形態に係る電力消費管理システムと同様である。
【０２１６】
図２３は、本発明の第２の実施の形態に係る電力消費管理システムの構成を示す図である。
【０２１７】
図２３を参照して、電力消費管理システムは、電力消費管理装置１０２と、２つの計測装置４２と、表示装置１７１とを備える。
【０２１８】
図２３では、２つの計測装置４２を代表的に示しているが、さらに多数または少数の計測装置４２が設けられてもよい。また、２つの電源タップ１５１を代表的に示しているが、さらに多数または少数の電源タップ１５１が設けられてもよい。また、２つの機器１１１を代表的に示しているが、さらに多数または少数の機器１１１が設けられてもよい。
【０２１９】
機器１１１Ａ，１１１Ｃ、アクセスポイント１６１および表示装置１７１の動作は、図１に示す機器１１１Ａ，１１１Ｃ、アクセスポイント１６１および表示装置１７１とそれぞれ同様である。
【０２２０】
電源タップ１５１Ａにおける計測装置４２、および電源タップ１５１Ｂにおける計測装置４２の動作は、図１に示す電源タップ１５１Ａにおける計測装置４２、および電源タップ１５１Ｂにおける計測装置４２とそれぞれ同様である。
【０２２１】
［課題］
たとえば、電力消費管理装置１０２は、電源タップ１５１Ａおける計測装置４２から取得した計測情報を機器１１１Ａの識別情報ＩＤｉに対応付けて保存する。このような場合において、ユーザが、電源タップ１５１Ａを電源タップ１５１Ｂに取り換える状況を想定する。
【０２２２】
たとえば、ユーザが、プラグ６１Ａと電源タップ１５１Ａにおけるプラグ受け４１との接続、およびプラグ６１Ｅと電源１との接続を解除した後、プラグ６１Ａと電源タップ１５１Ｂにおけるプラグ受け４１との接続、およびプラグ６１Ｄと電源１との接続を確立させると、以下の問題が生ずる。
【０２２３】
すなわち、電力消費管理装置１０２は、電源タップ１５１Ａを電源タップ１５１Ｂに取り換えた後のタイミングにおいて、電源タップ１５１Ａおける計測装置４２から計測情報を取得できなくなるため、機器１１１Ａの識別情報ＩＤｉに対応付けて保存した計測情報の記録が途中で途切れてしまう。
【０２２４】
また、電力消費管理装置１０２が、電源タップ１５１Ｂに新たに接続された機器１１１Ｂの識別情報ＩＤｉを認識することが困難であるため、電源タップ１５１Ｂおける計測装置４２から取得した計測情報を機器１１１Ｂの識別情報ＩＤｉに対応付けて保存することが困難となる。
【０２２５】
そこで、本発明の第２の実施の形態に係る電力消費管理装置では、以下のような構成および動作により、このような課題を解決する。
【０２２６】
［電力消費管理装置の構成］
図２４は、本発明の第２の実施の形態に係る電力消費管理システムにおける電力消費管理装置の構成を示す図である。
【０２２７】
図２４を参照して、電力消費管理装置１０２は、図３に示す電力消費管理装置１０１と比べて、処理部２６の代わりに、処理部（第２取得部）３６を備える。
【０２２８】
電力消費管理装置１０２における通信部２１、受付部２２、データ処理部２３、表示制御部２４、記憶部２５およびカウンタ２７の動作は、図３に示す電力消費管理装置１０１における通信部２１、受付部２２、データ処理部２３、表示制御部２４、記憶部２５およびカウンタ２７とそれぞれ同様である。
【０２２９】
図２５は、本発明の第２の実施の形態に係る電力消費管理装置における記憶部が保持する対応表の一例を示す図である。
【０２３０】
図２５を参照して、記憶部２５は、たとえば対応表ＣＴ３を保持する。たとえば、図２３に示す配置では、電源タップ１５１Ａには機器１１１Ａが接続されているので、機器１１１Ａの機器ＩＤは、「ＡＡＡ」に対応する「１」である。
【０２３１】
図２６は、本発明の第２の実施の形態に係る電力消費管理装置における記憶部が保持する登録テーブルの一例を示す図である。
【０２３２】
図２６を参照して、記憶部２５は、たとえば登録テーブルＲＴ３を保持する。「機器ＩＤ」が「１」の機器１１１Ａは、「電源タップ接続の有無」が「あり」であるため、「エコーネットライトＩＤ」の項目において、対応表を参照すべき旨が示される。
【０２３３】
また、「機器ＩＤ」が「２」の機器１１１Ｃは、「電源タップ接続の有無」が「なし」であるため、「エコーネットライトＩＤ」の項目において固定値の「ＣＣＣ」が示される。
【０２３４】
再び図２４を参照して、処理部３６は、たとえば３０分ごとの取得タイミングにおいて情報取得要求を作成する。
【０２３５】
また、処理部３６は、図２６に示す登録テーブルＲＴ３に登録された各機器ＩＤに対応するエコーネットライトＩＤを当該情報取得要求の送信先として取得する。この例では、処理部３６は、図２６に示す登録テーブルＲＴ３、および図２５に示す対応表ＣＴ３から「ＡＡＡ」，「ＣＣＣ」を当該情報取得要求の送信先として取得する。
【０２３６】
そして、処理部３６は、作成した情報取得要求、および取得した「ＡＡＡ」，「ＣＣＣ」を通信部２１へ出力する。
【０２３７】
通信部２１は、処理部３６から情報取得要求および「ＡＡＡ」，「ＣＣＣ」を受けると、受けた「ＡＡＡ」，「ＣＣＣ」を用いて、情報取得要求を電源タップ１５１Ａにおける計測装置４２，機器１１１Ｃへ内部ネットワーク１１経由でそれぞれ送信する。
【０２３８】
通信部２１は、送信した情報取得要求の応答である計測パケットを受信すると、受信した計測パケットから計測情報、および計測装置４２の識別情報ＩＤｍすなわち「ＡＡＡ」または「ＣＣＣ」を取得し、取得した計測情報および「ＡＡＡ」または「ＣＣＣ」をデータ処理部２３へ出力する。
【０２３９】
データ処理部２３は、たとえば、通信部２１から計測情報および「ＡＡＡ」を受けると、今回受けた計測情報の示す電力量から、前回電源タップ１５１Ａにおける計測装置４２から取得した計測情報の示す電力量を差し引くことにより電力量の増分を算出する。
【０２４０】
また、データ処理部２３は、記憶部２５が保持する対応表ＣＴ３（図２５参照）から、「ＡＡＡ」に対応する「機器ＩＤ」である「１」を取得する。
【０２４１】
データ処理部２３は、記憶部２５が保持する、機器ＩＤが「１」に対応する計測データ表ＭＴ１（図６参照）において、算出した電力量の増分、および計測情報の示す送信時刻を追加する。
【０２４２】
再び図２３を参照して、たとえば、ユーザは、プラグ６１Ａと電源タップ１５１Ａにおけるプラグ受け４１との接続、およびプラグ６１Ｅと電源１との接続を解除した後、プラグ６１Ａと電源タップ１５１Ｂにおけるプラグ受け４１との接続、およびプラグ６１Ｄと電源１との接続を確立させる。
【０２４３】
再び図２を参照して、電源タップ１５１Ｂに含まれる計測装置４２における無線通信部４４は、自己の計測装置４２が電力線ＰＬから電力を受けていない状態から電力を受ける状態へ遷移すると、以下の処理を行う。
【０２４４】
すなわち、無線通信部４４は、自己の計測装置４２が起動したことを示す起動情報、および自己の計測装置４２のエコーネットライトＩＤたとえば「ＢＢＢ」を含む起動パケットを内部ネットワーク１１およびアクセスポイント１６１経由で電力消費管理装置１０２へ送信する。
【０２４５】
再び図２４を参照して、電力消費管理装置１０２における通信部２１は、電源タップ１５１Ｂに含まれる計測装置４２から起動パケットを受信すると、受信した起動パケットから起動情報およびエコーネットライトＩＤを取得し、取得した起動情報およびエコーネットライトＩＤを処理部３６へ出力する。
【０２４６】
図２７は、本発明の第２の実施の形態に係る電力消費管理装置における記憶部が保持する対応表の一例を示す図である。
【０２４７】
図２７を参照して、処理部３６は、通信部２１から起動情報およびエコーネットライトＩＤを受けると、受けた起動情報に基づいて、電源タップ１５１Ｂにおける計測装置４２が起動したことを認識し、通信部２１から受けたエコーネットライトＩＤを用いて、記憶部２５が保持する対応表ＣＴ３（図２５参照）を対応表ＣＴ４に書き換える。
【０２４８】
より詳細には、処理部３６は、対応表ＣＴ３において、「エコーネットライトＩＤ」および「機器ＩＤ」がそれぞれ「ＢＢＢ」および「ＮＡ」の項目を追加する。
【０２４９】
図２８〜図３０は、本発明の第２の実施の形態に係る電力消費管理システムにおいて、表示装置に表示された画面の一例を示す図である。図２８には、機器１１１を登録するための「接続機器設定画面」の一例である画面Ｓｃ２１が示される。
【０２５０】
図２８を参照して、画面Ｓｃ２１は、図２６に示す登録テーブルＲＴ３および図２７に示す対応表ＣＴ４に基づいて作成される。より詳細には、画面Ｓｃ２１において、機器ＩＤが「１」，「２」にそれぞれ対応する機器１１１Ａ，１１１Ｃの「機器名」として、「エアコン１」，「エアコン２」が表示されている。
【０２５１】
ユーザは、表示装置１７１に表示された画面Ｓｃ２１を参照して、「電源タップ接続機器設定画面」を表示するためのボタンＢｔ１４を操作する。
【０２５２】
図２９には、電源タップ１５１に接続する機器１１１を登録するための「電源タップ接続機器設定画面」の一例である画面Ｓｃ２２が示される。
【０２５３】
図２９を参照して、画面Ｓｃ２２は、図２６に示す登録テーブルＲＴ３および図２７に示す対応表ＣＴ４に基づいて作成される。画面Ｓｃ２２において、「電源タップ２」は、電源タップ１５１Ｂにおける計測装置４２に対応する。
【０２５４】
ユーザは、「電源タップ２」に対応する「接続機器」として機器１１１Ａすなわち「エアコン１」を登録するために、たとえば「電源タップ１」と「エアコン１」との対応関係を解消する。
【０２５５】
より詳細には、ユーザは、ドロップダウンリストＤＬ２１の図示しないリストにおいて、「なし」を選択する操作を受付部２２に対して行う。
【０２５６】
図３０には、「電源タップ接続機器設定画面」において、「電源タップ１」と「エアコン１」との対応関係が解消された後の画面Ｓｃ２３が示される。
【０２５７】
図２４および図３０を参照して、ユーザは、表示装置１７１に表示された画面Ｓｃ２３を参照して、ドロップダウンリストＤＬ２２のリストにおいて、「エアコン１（機器ＩＤ＝１）」を選択した後、電源タップ１５１Ｂにおける計測装置４２に機器１１１Ａを対応付けて登録するための登録操作を受付部２２に対して行う、具体的には設定を反映するためのボタンＢｔ２５を選択する操作を受付部２２に対して行う。
【０２５８】
受付部２２は、当該登録操作を受け付けると、受け付けた操作内容を示す操作情報を処理部３６へ出力する。
【０２５９】
図３１は、本発明の第２の実施の形態に係る電力消費管理装置における記憶部が保持する対応表の一例を示す図である。
【０２６０】
図２４および図３１を参照して、処理部３６は、受付部２２から操作情報を受けると、受けた操作情報に従って、記憶部２５が保持する対応表ＣＴ４（図２７参照）を対応表ＣＴ５に書き換える。
【０２６１】
より詳細には、処理部３６は、対応表ＣＴ４において、「ＡＡＡ」に対応する「機器ＩＤ」の項目を「１」から「ＮＡ」に書き換えるとともに、「ＢＢＢ」に対応する「機器ＩＤ」の項目を「ＮＡ」から「１」に書き換える。
【０２６２】
再び図２４および図３０を参照して、ユーザは、「接続機器設定画面」に戻るためのボタンＢｔ２４を選択する操作を受付部２２に対して行う。
【０２６３】
受付部２２は、ユーザによる操作を受け付けると、受け付けた操作内容を示す操作情報を処理部３６へ出力する。
【０２６４】
図３２は、本発明の第２の実施の形態に係る電力消費管理システムにおいて、表示装置に表示された画面の一例を示す図である。図３２には、「エアコン１」に対応する「センサ名」として「電源タップ２」が登録された後の「接続機器設定画面」の一例である画面Ｓｃ２４が示される。
【０２６５】
図３および図３２を参照して、処理部３６は、受付部２２から操作情報を受けると、受けた操作情報に従って、図３１に示す対応表ＣＴ５および図２６に示す登録テーブルＲＴ３に基づいて、画面Ｓｃ２４を示す画面情報Ｓｃｉ２４を作成し、作成した画面情報Ｓｃｉ２４を表示制御部２４へ出力する。
【０２６６】
表示制御部２４は、処理部３６から画面情報Ｓｃｉ２４を受けると、受けた画面情報Ｓｃｉ２４に基づいて、画面Ｓｃ２４を表示装置１７１に表示する制御を行う。
【０２６７】
ユーザは、表示装置１７１に表示された画面Ｓｃ２４を参照して、「エアコン１」に対応する「センサ名」として「電源タップ２」の登録が完了したことを確認する。
【０２６８】
再び図２４を参照して、処理部３６は、取得タイミングにおいて情報取得要求を作成する。また、処理部３６は、図２６に示す登録テーブルＲＴ３に登録された各機器ＩＤに対応するエコーネットライトＩＤを当該情報取得要求の送信先として取得する。この例では、処理部３６は、図２６に示す登録テーブルＲＴ３、および図３１に示す対応表ＣＴ５から「ＢＢＢ」，「ＣＣＣ」を当該情報取得要求の送信先として取得する。
【０２６９】
そして、処理部３６は、作成した情報取得要求、および取得した「ＢＢＢ」，「ＣＣＣ」を通信部２１へ出力する。
【０２７０】
通信部２１は、処理部３６から情報取得要求および「ＢＢＢ」，「ＣＣＣ」を受けると、受けた「ＢＢＢ」，「ＣＣＣ」を用いて、情報取得要求を電源タップ１５１Ｂにおける計測装置４２，機器１１１Ｃへ内部ネットワーク１１経由でそれぞれ送信する。
【０２７１】
通信部２１は、送信した情報取得要求の応答である計測パケットを受信すると、受信した計測パケットから計測情報、および計測装置４２の識別情報ＩＤｍすなわち「ＢＢＢ」または「ＣＣＣ」を取得し、取得した計測情報および「ＢＢＢ」または「ＣＣＣ」をデータ処理部２３へ出力する。
【０２７２】
データ処理部２３は、電源タップ１５１Ａにおける計測装置４２と機器１１１Ａとの対応状況が解消された場合、通信部２１によって当該計測装置４２から新たに取得された計測情報と当該機器１１１Ａの識別情報ＩＤｉとの対応付けを行わない。
【０２７３】
より詳細には、データ処理部２３は、たとえば、電源タップ１５１Ａにおける計測装置４２と機器１１１Ａとの対応状況が解消された後、新たな計測装置４２からの計測情報および当該新たな計測装置４２の識別情報ＩＤｍが通信部２１によって取得された場合、識別情報ＩＤｍを用いて、通信部２１によって取得された当該新たな計測装置４２からの計測情報と機器１１１Ａの識別情報ＩＤｉとを対応付けて保存する。
【０２７４】
具体的には、データ処理部２３は、たとえば、電源タップ１５１Ｂにおける計測装置４２が送信した計測情報および「ＢＢＢ」を通信部２１から初めて受ける場合、受けた計測情報の示す電力量を保持する。
【０２７５】
データ処理部２３は、たとえば、電源タップ１５１Ｂにおける計測装置４２が送信した計測情報および「ＢＢＢ」を通信部２１から２回目以降に受ける場合、今回受けた計測情報の示す電力量から、前回電源タップ１５１Ｂにおける計測装置４２から取得した計測情報の示す電力量を差し引くことにより電力量の増分を算出する。
【０２７６】
そして、データ処理部２３は、記憶部２５が保持する対応表ＣＴ５（図３１参照）から、「ＢＢＢ」に対応する「機器ＩＤ」である「１」を取得する。
【０２７７】
データ処理部２３は、記憶部２５が保持する、機器ＩＤが「１」に対応する計測データ表ＭＴ１（図６参照）において、算出した電力量の増分、および計測情報の示す送信時刻を追加する。
【０２７８】
［動作］
図３３は、本発明の第２の実施の形態に係る電力消費管理システムにおいて、電力消費管理装置が計測装置から計測情報を取得して保存する際のシーケンスの一例を示す図である。
【０２７９】
図３３を参照して、まず、電力消費管理装置１０２は、たとえば３０分ごとの取得タイミングにおいて、登録テーブルＲＴ３および対応表ＣＴ３に基づいて、情報取得要求の送信先の計測装置４２のエコーネットライトＩＤすなわち「ＡＡＡ」を識別情報ＩＤｍとして取得する（ステップＳ２０２）。
【０２８０】
次に、電力消費管理装置１０２は、取得した「ＡＡＡ」を用いて、情報取得要求を電源タップ１５１Ａにおける計測装置４２へ送信する（ステップＳ２０４）。
【０２８１】
次に、電源タップ１５１Ａにおける計測装置４２は、電力消費管理装置１０２から情報取得要求を受信すると、計測パケットを電力消費管理装置１０２へ送信する（ステップＳ２０６）。
【０２８２】
次に、電力消費管理装置１０２は、電源タップ１５１Ａにおける計測装置４２から計測パケットを受信すると、受信した計測パケットから計測情報、および当該計測装置４２の識別情報ＩＤｍすなわち「ＡＡＡ」を取得し、今回取得した計測情報、および前回取得した計測情報から電力量の増分を算出する（ステップＳ２０８）。
【０２８３】
次に、電力消費管理装置１０２は、対応表ＣＴ３を確認することにより「ＡＡＡ」に対応する「機器ＩＤ」が「１」であることを認識し、認識した「１」に対応する計測データ表ＭＴ１を、算出した電力量の増分の保存先として特定する（ステップＳ２１０）。
【０２８４】
次に、電力消費管理装置１０２は、特定した計測データ表ＭＴ１において、電力量の増分、および計測情報の示す送信時刻を追加する（ステップＳ２１２）。
【０２８５】
次に、ユーザは、たとえば、プラグ６１Ａと電源タップ１５１Ａにおけるプラグ受け４１との接続、およびプラグ６１Ｅと電源１との接続を解除した後、プラグ６１Ａと電源タップ１５１Ｂにおけるプラグ受け４１との接続、およびプラグ６１Ｄと電源１との接続を確立させる（ステップＳ２１４）。
【０２８６】
次に、電源タップ１５１Ｂにおける計測装置４２は、起動パケットを電力消費管理装置１０２へ送信する（ステップＳ２１６）。
【０２８７】
次に、電力消費管理装置１０２は、電源タップ１５１Ｂにおける計測装置４２から起動パケットを受信すると、受信した起動パケットの内容に基づいて、対応表ＣＴ３をＣＴ４に更新する（ステップＳ２１８）。
【０２８８】
次に、ユーザは、電源タップ１５１Ｂにおける計測装置４２に機器１１１Ａを対応付けて登録するための登録操作を受付部２２に対して行う（ステップＳ２２０）。
【０２８９】
次に、電力消費管理装置１０２は、ユーザによる登録操作に基づいて、対応表ＣＴ４をＣＴ５に更新する（ステップＳ２２２）。
【０２９０】
次に、電力消費管理装置１０２は、取得タイミングにおいて、登録テーブルＲＴ３および対応表ＣＴ５に基づいて、情報取得要求の送信先の計測装置４２のエコーネットライトＩＤすなわち「ＢＢＢ」を識別情報ＩＤｍとして取得する（ステップＳ２２４）。
【０２９１】
次に、電力消費管理装置１０２は、取得した「ＢＢＢ」を用いて、情報取得要求を電源タップ１５１Ｂにおける計測装置４２へ送信する（ステップＳ２２６）。
【０２９２】
次に、電源タップ１５１Ｂにおける計測装置４２は、電力消費管理装置１０２から情報取得要求を受信すると、計測パケットを電力消費管理装置１０２へ送信する（ステップＳ２２８）。
【０２９３】
次に、電力消費管理装置１０２は、電源タップ１５１Ｂにおける計測装置４２から計測パケットをたとえば初めて受信すると、受信した計測パケットから計測情報、および当該計測装置４２の識別情報ＩＤｍすなわち「ＢＢＢ」を取得し、今回取得した計測情報を保持する（ステップＳ２３０）。
【０２９４】
次に、電力消費管理装置１０２は、取得タイミングにおいて、登録テーブルＲＴ３および対応表ＣＴ５に基づいて、情報取得要求の送信先の計測装置４２のエコーネットライトＩＤが「ＢＢＢ」であることを確認する（ステップＳ２３２）。
【０２９５】
次に、電力消費管理装置１０２は、確認した「ＢＢＢ」を用いて、情報取得要求を電源タップ１５１Ｂにおける計測装置４２へ送信する（ステップＳ２３４）。
【０２９６】
次に、電源タップ１５１Ｂにおける計測装置４２は、電力消費管理装置１０２から情報取得要求を受信すると、計測パケットを電力消費管理装置１０２へ送信する（ステップＳ２３６）。
【０２９７】
次に、電力消費管理装置１０２は、電源タップ１５１Ｂにおける計測装置４２から計測パケットを受信すると、受信した計測パケットから計測情報、および当該計測装置４２の識別情報ＩＤｍすなわち「ＢＢＢ」を取得し、今回取得した計測情報、および前回取得した計測情報から電力量の増分を算出する（ステップＳ２３８）。
【０２９８】
次に、電力消費管理装置１０２は、対応表ＣＴ５を確認することにより「ＢＢＢ」に対応する「機器ＩＤ」が「１」であることを認識し、認識した「１」に対応する計測データ表ＭＴ１を、算出した電力量の増分の保存先として特定する（ステップＳ２４０）。
【０２９９】
次に、電力消費管理装置１０２は、特定した計測データ表ＭＴ１において、電力量の増分、および計測情報の示す送信時刻を追加する（ステップＳ２４２）。
【０３００】
以上のように、本発明の第２の実施の形態に係る電力消費管理装置では、データ処理部２３は、対応状況が解消された後、新たな計測装置４２の識別情報が通信部２１によって取得された場合、当該新たな計測装置４２の識別情報を用いて、通信部２１によって新たに取得された計測情報と機器１１１の識別情報とを対応付けて保存する。
【０３０１】
このように、対応状況が解消された後のタイミングにおいて取得した計測情報を、新たな計測装置４２の識別情報を用いて、解消前の機器１１１の識別情報に対応付けて保存する構成により、新たな計測結果を、解消前に保存した計測結果との連続性を確保しながら保存することができる。
【０３０２】
その他の構成および動作は第１の実施の形態に係る電力消費管理システムと同様であるため、ここでは詳細な説明を繰り返さない。
【０３０３】
次に、本発明の他の実施の形態について図面を用いて説明する。なお、図中同一または相当部分には同一符号を付してその説明は繰り返さない。
【０３０４】
＜第３の実施の形態＞
本実施の形態は、第１の実施の形態に係る電力消費管理システムと比べてプラグの抜き差しを検出する電力消費管理システムに関する。以下で説明する内容以外は第１の実施の形態に係る電力消費管理システムと同様である。
【０３０５】
図３４は、本発明の第３の実施の形態に係る電力消費管理システムの構成を示す図である。
【０３０６】
図３４を参照して、電力消費管理システムは、電力消費管理装置１０３と、２つの計測装置５２と、表示装置１７１とを備える。
【０３０７】
電源タップ１５２Ａ，１５２Ｂの各々は、図１に示す電源タップ１５１と比べて、プラグ受け５１および計測装置４２の代わりに、プラグ受け５１と、計測装置５２とを備える。以下、電源タップ１５２Ａ，１５２Ｂの各々を、電源タップ１５２とも称する。
【０３０８】
図３４では、２つの計測装置５２を代表的に示しているが、さらに多数または少数の計測装置５２が設けられてもよい。また、２つの電源タップ１５２を代表的に示しているが、さらに多数または少数の電源タップ１５２が設けられてもよい。また、３つの機器１１１を代表的に示しているが、さらに多数または少数の機器１１１が設けられてもよい。
【０３０９】
機器１１１Ａ，１１１Ｂ，１１１Ｃ、アクセスポイント１６１および表示装置１７１の動作は、図１に示す機器１１１Ａ，１１１Ｂ，１１１Ｃ、アクセスポイント１６１および表示装置１７１とそれぞれ同様である。
【０３１０】
図３５は、本発明の第３の実施の形態に係る電力消費管理システムにおける電源タップの構成を示す図である。
【０３１１】
図３５を参照して、計測装置５２は、図２に示す計測装置４２と比べて、さらに、検出部４３を含む。プラグ受け５１は、スイッチ部５３を含む。
【０３１２】
計測装置５２における無線通信部４４、電流センサ４５、不揮発性メモリ４６、計測部４７およびカウンタ４８の動作は、図２に示す計測装置４２における無線通信部４４、電流センサ４５、不揮発性メモリ４６、計測部４７およびカウンタ４８とそれぞれ同様である。
【０３１３】
プラグ受け５１におけるスイッチ部５３は、当該プラグ受け５１にプラグが接続されるとオン状態に遷移し、また、当該プラグ受け５１とプラグとの接続が解除されるとオフ状態に遷移する。
【０３１４】
計測装置５２における検出部４３は、プラグ受け５１におけるスイッチ部５３の状態を監視し、スイッチ部５３においてオフ状態からオン状態へ遷移すると、ハイレベルの遷移信号を無線通信部４４へ出力する。
【０３１５】
一方、検出部４３は、スイッチ部５３においてオン状態からオフ状態へ遷移すると、ローレベルの遷移信号を無線通信部４４へ出力する。
【０３１６】
無線通信部４４は、検出部４３から受ける遷移信号のレベルを監視し、当該レベルがローレベルからハイレベルへ切り替わると、プラグ受け５１にプラグが接続されたことを示す接続確立情報を作成し、作成した接続確立情報、および自己の計測装置５２のエコーネットライトＩＤを含む接続パケットをアクセスポイント１６１および内部ネットワーク１１経由で電力消費管理装置１０３へ送信する。
【０３１７】
一方、無線通信部４４は、遷移信号のレベルがハイレベルからローレベルへ切り替わると、プラグ受け５１とプラグとの接続が解除されたことを示す接続解除情報を作成し、作成した接続解除情報、および自己の計測装置５２のエコーネットライトＩＤを含む接続パケットをアクセスポイント１６１および内部ネットワーク１１経由で電力消費管理装置１０３へ送信する。
【０３１８】
再び図３４を参照して、ユーザは、たとえば、プラグ６１Ａと電源タップ１５２Ａにおけるプラグ受け５１との接続を解除する。
【０３１９】
再び図３５を参照して、電源タップ１５２Ａに含まれる計測装置５２における無線通信部４４は、接続解除情報を作成し、作成した接続解除情報、および自己の計測装置５２のエコーネットライトＩＤすなわち「ＡＡＡ」を含む接続パケットをアクセスポイント１６１および内部ネットワーク１１経由で電力消費管理装置１０３へ送信する。
【０３２０】
［電力消費管理装置の構成］
図３６は、本発明の第３の実施の形態に係る電力消費管理システムにおける電力消費管理装置の構成を示す図である。
【０３２１】
図３６を参照して、電力消費管理装置１０３は、図３に示す電力消費管理装置１０１と比べて、通信部２１、データ処理部２３および処理部２６の代わりに、通信部（第１取得部および第３取得部）７１と、データ処理部７３と、処理部（第２取得部）７６とを備える。
【０３２２】
電力消費管理装置１０３における受付部２２、表示制御部２４、記憶部２５およびカウンタ２７の動作は、図３に示す電力消費管理装置１０１における受付部２２、表示制御部２４、記憶部２５およびカウンタ２７とそれぞれ同様である。
【０３２３】
通信部７１は、たとえば、第３取得部として、計測装置５２と機器１１１との対応状況の解消タイミングを判断可能な情報Ｉ３を計測装置５２から取得する。具体的には、通信部７１は、計測装置５２から受信する接続解除情報および接続確立情報を情報Ｉ３として取得する。
【０３２４】
より詳細には、たとえば、通信部７１は、電源タップ１５２Ａにおける計測装置５２から接続パケットを受信すると、受信した接続パケットから接続解除情報、およびエコーネットライトＩＤすなわち「ＡＡＡ」を取得し、取得した接続解除情報および「ＡＡＡ」をデータ処理部７３へ出力する。
【０３２５】
データ処理部７３は、たとえば、通信部７１によって取得された情報Ｉ３に基づく解消タイミングまでの計測情報と機器１１１の識別情報とを対応付けて保存する。
【０３２６】
より詳細には、データ処理部７３は、たとえば、通信部７１によって取得された情報Ｉ３に基づいて計測装置５２と機器１１１との対応状況の解消を判断する。
【０３２７】
具体的には、データ処理部７３は、通信部７１から接続解除情報および「ＡＡＡ」を受けると、電源タップ１５２Ａにおける計測装置５２と機器１１１Ａとの対応状況が解消されたと判断し、判断結果を示す判断情報Ｒａ３を作成して処理部７６へ出力する。
【０３２８】
図３７は、本発明の第３の実施の形態に係る電力消費管理装置における記憶部が保持する対応表の一例を示す図である。
【０３２９】
図３７を参照して、処理部７６は、データ処理部７３から判断情報Ｒａ３を受けると、受けた判断情報Ｒａ３に基づいて、記憶部２５が保持する対応表ＣＴ１（図４参照）を対応表ＣＴ３１に書き換える。
【０３３０】
より詳細には、処理部７６は、対応表ＣＴ１において、「ＡＡＡ」に対応する「機器ＩＤ」の項目を「１」から「ＮＡ」に書き換える。
【０３３１】
図３８は、本発明の第３の実施の形態に係る電力消費管理装置における記憶部が保持する登録テーブルの一例を示す図である。
【０３３２】
図３８を参照して、処理部７６は、データ処理部７３から受けた判断情報Ｒａ３に基づいて、記憶部２５が保持する登録テーブルＲＴ１（図５参照）を登録テーブルＲＴ３１に書き換える。
【０３３３】
より詳細には、処理部７６は、登録テーブルＲＴ１において、「機器ＩＤ」が「１」に対応する「電源タップ接続の有無」の項目を「あり」から「なし」に書き換えるとともに、「機器ＩＤ」が「１」に対応する「エコーネットライトＩＤ」の項目を「対応表参照」から「ＮＡ」に書き換える。
【０３３４】
また、処理部７６は、カウンタ２７からカウント値を解消タイミングとして取得し、取得した解消タイミングを、「機器ＩＤ」が「１」に対応する記憶部２５における解消タイミング表ＤＴ１（図８参照）に追加する。
【０３３５】
このような構成により、処理部７６は、解消タイミング以降において、情報取得要求を通信部７１経由で電源タップ１５２Ａにおける計測装置５２へ送信しなくなるので、当該計測装置５２から無意味な計測パケットを受信することを自動的に防ぐことができる。これにより、機器１１１Ａ以外の機器１１１のデータが計測データ表ＭＴ１（図６参照）に追加されることを防ぐことができる。
【０３３６】
再び図３４を参照して、ユーザは、たとえば、プラグ６１Ｂと電源タップ１５２Ｂにおけるプラグ受け５１との接続を解除する。
【０３３７】
再び図３５を参照して、電源タップ１５２Ｂに含まれる計測装置５２における無線通信部４４は、接続解除情報を作成し、作成した接続解除情報、および自己の計測装置５２のエコーネットライトＩＤすなわち「ＢＢＢ」を含む接続パケットをアクセスポイント１６１および内部ネットワーク１１経由で電力消費管理装置１０３へ送信する。
【０３３８】
再び図３６を参照して、電力消費管理装置１０３における通信部７１は、電源タップ１５２Ｂにおける計測装置５２から接続パケットを受信すると、受信した接続パケットから接続解除情報、およびエコーネットライトＩＤすなわち「ＢＢＢ」を取得し、取得した接続解除情報および「ＢＢＢ」をデータ処理部７３へ出力する。
【０３３９】
データ処理部７３は、通信部７１から接続解除情報および「ＢＢＢ」を受けると、電源タップ１５２Ｂにおける計測装置５２と機器１１１Ｂとの対応状況が解消されたと判断し、判断結果を示す判断情報Ｒｂ３を作成して処理部７６へ出力する。
【０３４０】
図３９は、本発明の第３の実施の形態に係る電力消費管理装置における記憶部が保持する対応表の一例を示す図である。
【０３４１】
図３９を参照して、処理部７６は、データ処理部７３から判断情報Ｒｂ３を受けると、受けた判断情報Ｒｂ３に基づいて、記憶部２５が保持する対応表ＣＴ３１（図３７参照）を対応表ＣＴ３２に書き換える。
【０３４２】
より詳細には、処理部７６は、対応表ＣＴ３１において、「ＢＢＢ」に対応する「機器ＩＤ」の項目を「２」から「ＮＡ」に書き換える。
【０３４３】
図４０は、本発明の第３の実施の形態に係る電力消費管理装置における記憶部が保持する登録テーブルの一例を示す図である。
【０３４４】
図４０を参照して、処理部７６は、データ処理部７３から受けた判断情報Ｒｂ３に基づいて、記憶部２５が保持する登録テーブルＲＴ３１（図３８参照）を登録テーブルＲＴ３２に書き換える。
【０３４５】
より詳細には、処理部７６は、登録テーブルＲＴ３１において、「機器ＩＤ」が「２」に対応する「電源タップ接続の有無」の項目を「あり」から「なし」に書き換えるとともに、「機器ＩＤ」が「２」に対応する「エコーネットライトＩＤ」の項目を「対応表参照」から「ＮＡ」に書き換える。
【０３４６】
また、処理部７６は、カウンタ２７からカウント値を解消タイミングとして取得し、取得した解消タイミングを、「機器ＩＤ」が「２」に対応する記憶部２５における解消タイミング表ＤＴ２（図９参照）に追加する。
【０３４７】
このような構成により、処理部７６は、解消タイミング以降において、情報取得要求を通信部７１経由で電源タップ１５２Ｂにおける計測装置５２へ送信しなくなるので、当該計測装置５２から無意味な計測パケットを受信することを自動的に防ぐことができる。これにより、機器１１１Ｂ以外の機器１１１のデータが計測データ表ＭＴ２（図７参照）に追加されることを防ぐことができる。
【０３４８】
以上のように、本発明の第３の実施の形態に係る電力消費管理装置では、通信部７１は、対応状況の情報Ｉ３を計測装置４２から取得する。そして、データ処理部７３は、通信部７１によって取得された情報Ｉ３に基づいて対応状況の解消を判断する。
【０３４９】
このような構成により、対応状況の解消を自動的に判断することができるので、機器１１１の識別情報と対応付けて保存された時系列の計測情報において、異なる機器１１１の計測結果が混在してしまうことを簡易かつ確実に防ぐことができる。
【０３５０】
その他の構成および動作は第１の実施の形態に係る電力消費管理システムと同様であるため、ここでは詳細な説明を繰り返さない。
【０３５１】
次に、本発明の他の実施の形態について図面を用いて説明する。なお、図中同一または相当部分には同一符号を付してその説明は繰り返さない。
【０３５２】
＜第４の実施の形態＞
本実施の形態は、第１の実施の形態に係る電力消費管理システムと比べて解消タイミングを手動で変更可能な電力消費管理システムに関する。以下で説明する内容以外は第１の実施の形態に係る電力消費管理システムと同様である。
【０３５３】
［課題］
再び図１を参照して、たとえば、ユーザは、プラグ６１Ａと電源タップ１５１Ａにおけるプラグ受け４１との接続、およびプラグ６１Ｂと電源タップ１５１Ｂにおけるプラグ受け４１との接続を解除した後、プラグ６１Ｂと電源タップ１５１Ａにおけるプラグ受け４１との接続を確立させる。以下、ユーザがこの操作を行うタイミングを接続変更タイミングとも称する。
【０３５４】
その後、ユーザが機器１１１の登録操作を行わずに、数日が経過した状況Ｓｉｔ１を想定する。
【０３５５】
接続変更タイミングより過去において、機器１１１Ａにおける消費電力量の増分が図６に示す計測データ表ＭＴ１に蓄積され、また、機器１１１Ｂにおける消費電力量の増分が図７に示す計測データ表ＭＴ２に蓄積される。
【０３５６】
一方、接続変更タイミングより未来において、機器１１１Ｂにおける消費電力量の増分が図６に示す計測データ表ＭＴ１に蓄積され、また、電源タップ１５１Ｂには機器１１１が接続されないので、図７に示す計測データ表ＭＴ２には、消費電力量の増分としてゼロが蓄積される。
【０３５７】
図４１および図４２は、本発明の第４の実施の形態に係る電力消費管理システムにおいて、表示装置に表示された画面の一例を示す図である。図４１には、状況Ｓｉｔ１における、図６に示す計測データ表ＭＴ１の内容に基づくグラフを表示する画面Ｓｃ４１が示される。
【０３５８】
図４１を参照して、曲線Ｄａｔ４１は、接続変更タイミングたとえば「２０１５／８／３」より過去において機器１１１Ａにおける消費電力量の増分を示し、また、接続変更タイミングより未来において機器１１１Ｂにおける消費電力量の増分を示してしまう。
【０３５９】
すなわち、曲線Ｄａｔ４１は、「エアコン１」における消費電力量の増分の時間変化を正確に表していない。
【０３６０】
図４２には、状況Ｓｉｔ１における、図７に示す計測データ表ＭＴ２の内容に基づくグラフを表示する画面Ｓｃ４２が示される。
【０３６１】
図４２を参照して、曲線Ｄａｔ４２は、接続変更タイミングたとえば「２０１５／８／３」より過去において機器１１１Ｂにおける消費電力量の増分を示し、また、接続変更タイミングより未来においてゼロを示す。
【０３６２】
すなわち、曲線Ｄａｔ４２は、「ゲーム機」における消費電力量の増分の時間変化を正確に表していない。
【０３６３】
そこで、本発明の第４の実施の形態に係る電力消費管理装置では、以下のような構成および動作により、このような課題を解決する。
【０３６４】
［電力消費管理装置の構成］
図４３は、本発明の第４の実施の形態に係る電力消費管理システムにおける電力消費管理装置の構成を示す図である。
【０３６５】
図４３を参照して、電力消費管理装置１０４は、図３に示す電力消費管理装置１０１と比べて、データ処理部２３および処理部２６の代わりに、データ処理部８３と、処理部（第２取得部および第４取得部）８６とを備える。
【０３６６】
電力消費管理装置１０４における通信部２１、受付部２２、表示制御部２４、記憶部２５およびカウンタ２７の動作は、図３に示す電力消費管理装置１０１における通信部２１、受付部２２、表示制御部２４、記憶部２５およびカウンタ２７とそれぞれ同様である。
【０３６７】
再び図４１を参照して、たとえば、ユーザは、電源タップ１５１Ａにおける計測装置４２と機器１１１Ａとの対応状況ＣＳＡの解消タイミングを設定する場合、画面Ｓｃ４１におけるボタンＢｔ４２を選択する操作を受付部２２に対して行う。
【０３６８】
図４４〜図４９は、本発明の第４の実施の形態に係る電力消費管理システムにおいて、表示装置に表示された画面の一例を示す図である。図４４には、対応状況ＣＳＡの解消タイミングを設定するための「解消タイミング設定画面」の一例である画面Ｓｃ４３が示される。
【０３６９】
図４４を参照して、ユーザは、表示装置１７１に表示された画面Ｓｃ４３を参照しながら、解消タイミングを示す矢印Ａｒ１が、「２０１５／８／３」の「日付」を示すように移動させた後、矢印Ａｒ１の示す「日付」に解消タイミングを設定するためのボタンＢｔ４２を選択する操作を受付部２２に対して行う。
【０３７０】
図４５には、設定した解消タイミング以降のデータの処理を選択するための領域Ｒｇ４０を含む画面Ｓｃ４４が示される。
【０３７１】
図４３および図４５を参照して、ユーザは、表示装置１７１に表示された画面Ｓｃ４４を参照し、解消タイミング以降のデータを「ゲーム機」のデータとして用いるために、「バッファ１に保存後、削除」に対応するラジオボタンＲｂ１を選択した後、「ＯＫ」を示すボタンＢｔ４３を選択する操作を受付部２２に対して行う。
【０３７２】
受付部２２は、たとえば、対応状況ＣＳＡの解消タイミングの入力操作を受け付ける。
【０３７３】
具体的には、受付部２２は、ユーザによる当該解消タイミングの入力操作を受け付けると、受け付けた操作内容を示す操作情報を処理部８６へ出力する。
【０３７４】
処理部８６は、たとえば、第４取得部として、受付部２２が受け付けた入力操作に基づいて対応状況ＣＳＡの情報ＩＡ４を取得する。
【０３７５】
具体的には、処理部８６は、受付部２２から操作情報を受けると、受けた操作情報に基づいて、矢印Ａｒ１の示す対応状況ＣＳＡの解消タイミング、および機器ＩＤすなわち「１」を示す情報ＩＡ４、ならびに当該解消タイミング以降のデータの第１バッファへの移動命令を作成し、作成した情報ＩＡ４および移動命令をデータ処理部８３へ出力する。
【０３７６】
データ処理部８３は、たとえば、受付部２２が受け付けた入力操作の示す解消タイミングまでの計測情報と機器１１１の識別情報とを対応付けて保存する。
【０３７７】
より詳細には、データ処理部７３は、たとえば、処理部８６によって取得された情報ＩＡ４に基づいて対応状況ＣＳＡの解消を判断する。
【０３７８】
具体的には、データ処理部８３は、処理部８６から情報ＩＡ４および移動命令を受けると、受けた情報ＩＡ４に基づいて、対応状況ＣＳＡが解消タイミングにおいて解消されたと判断し、判断結果を示す判断情報Ｒａ４を作成して処理部８６へ出力する。
【０３７９】
また、データ処理部８３は、移動命令に従って、記憶部２５が保持する、機器ＩＤが「１」に対応する計測データ表ＭＴ１（図６参照）において、解消タイミング以降のデータを記憶部２５における第１バッファの領域へ移動する。
【０３８０】
処理部８６は、データ処理部８３から判断情報Ｒａ４を受けると、受けた判断情報Ｒａ４に基づいて、ユーザにより設定された解消タイミングを、「機器ＩＤ」が「１」に対応する記憶部２５における解消タイミング表ＤＴ１（図８参照）に追加する。
【０３８１】
図４６には、設定した解消タイミング以降のデータが削除されたグラフを表示する画面Ｓｃ４５が示される。
【０３８２】
図４３および図４６を参照して、処理部８６は、受付部２２から受けた操作情報に従って、画面Ｓｃ４５を示す画面情報Ｓｃｉ４５を作成し、作成した画面情報Ｓｃｉ４５を表示制御部２４へ出力する。
【０３８３】
より詳細には、処理部８６は、記憶部２５が保持する、解消タイミング以降のデータが移動された計測データ表ＭＴ１（図６参照）から過去１か月分の電力量の増分を取得し、取得した電力量の増分を用いて、機器１１１Ａにおける消費電力量の増分の１か月分の時間変化を示す曲線Ｄａｔ４３を描画する。
【０３８４】
また、処理部８６は、記憶部２５が保持する、機器ＩＤが「１」に対応する解消タイミング表ＤＴ１（図８参照）から過去１か月分の解消タイミングのデータを取得し、取得したデータを用いて、解消タイミングを示す直線Ｌｎ４３を描画する。
【０３８５】
表示制御部２４は、処理部８６から画面情報Ｓｃｉ４５を受けると、受けた画面情報Ｓｃｉ４５に基づいて、画面Ｓｃ４５を表示装置１７１に表示する制御を行う。
【０３８６】
このような構成により、機器１１１Ｂにおける消費電力量の増分を計測データ表ＭＴ１から除外することができるので、図４６に示す画面Ｓｃ４５において、「エアコン１」における消費電力量の増分の時間変化を正確に示す曲線Ｄａｔ４３を描画することができる。
【０３８７】
そして、ユーザは、画面Ｓｃ４５におけるボタンＢｔ４１を操作することにより図１９に示す画面Ｓｃ１１を表示装置１７１に表示させる。
【０３８８】
ユーザは、たとえば、機器１１１Ｂにおける消費電力量の増分の１か月分の時間変化を確認するために、画面Ｓｃ１１におけるボタンＢｔ３４を選択する操作を受付部２２に対して行うことにより、図４２に示す画面Ｓｃ４２を表示装置１７１に表示させる。
【０３８９】
再び図４２を参照して、たとえば、ユーザは、電源タップ１５１Ｂにおける計測装置４２と機器１１１Ｂとの対応状況ＣＳＢの解消タイミングを設定する場合、画面Ｓｃ４２におけるボタンＢｔ４２を選択する操作を受付部２２に対して行う。
【０３９０】
図４７には、対応状況ＣＳＢの解消タイミングを設定するための「解消タイミング設定画面」の一例である画面Ｓｃ４６が示される。
【０３９１】
図４７を参照して、ユーザは、表示装置１７１に表示された画面Ｓｃ４６を参照しながら、解消タイミングを示す矢印Ａｒ２が、「２０１５／８／３」の「日付」を示すように移動させた後、矢印Ａｒ２の示す「日付」に解消タイミングを設定するためのボタンＢｔ４２を選択する操作を受付部２２に対して行う。
【０３９２】
図４８には、上述の領域Ｒｇ４０を含む画面Ｓｃ４７が示される。
【０３９３】
図４３および図４８を参照して、ユーザは、表示装置１７１に表示された画面Ｓｃ４７を参照し、解消タイミング以降のデータをバッファ１に保存したデータに置換するために、「バッファ１のデータに置換」に対応するラジオボタンＲｂ３を選択した後、「ＯＫ」を示すボタンＢｔ４３を選択する操作を受付部２２に対して行う。
【０３９４】
受付部２２は、たとえば、対応状況ＣＳＢの解消タイミングの入力操作を受け付ける。
【０３９５】
具体的には、受付部２２は、ユーザによる当該解消タイミングの入力操作を受け付けると、受け付けた操作内容を示す操作情報を処理部８６へ出力する。
【０３９６】
処理部８６は、たとえば、受付部２２が受け付けた入力操作に基づいて対応状況ＣＳＢの情報ＩＢ４を取得する。
【０３９７】
具体的には、処理部８６は、受付部２２から操作情報を受けると、受けた操作情報に基づいて、矢印Ａｒ２の示す対応状況ＣＳＢの解消タイミング、および機器ＩＤすなわち「２」を示す情報ＩＢ４、ならびに解消タイミング以降のデータの第１バッファのデータへの置換命令を作成し、作成した情報ＩＢ４および置換命令をデータ処理部８３へ出力する。
【０３９８】
データ処理部８３は、たとえば、処理部８６によって取得された情報ＩＢ４に基づいて対応状況ＣＳＢの解消を判断する。
【０３９９】
より詳細には、データ処理部８３は、処理部８６から情報ＩＢ４および置換命令を受けると、受けた情報ＩＢ４に基づいて、対応状況ＣＳＢが、解消タイミングにおいて解消されたと判断し、判断結果を示す判断情報Ｒｂ４を作成して処理部８６へ出力する。
【０４００】
また、データ処理部８３は、置換命令に従って、記憶部２５が保持する、機器ＩＤが「２」に対応する計測データ表ＭＴ２（図７参照）において、解消タイミング以降のデータを、記憶部２５における第１バッファの領域におけるデータに置換する。
【０４０１】
処理部８６は、データ処理部８３から判断情報Ｒｂ４を受けると、受けた判断情報Ｒｂ４に基づいて、ユーザにより設定された解消タイミングを、「機器ＩＤ」が「２」に対応する記憶部２５における解消タイミング表ＤＴ２（図９参照）に追加する。
【０４０２】
図４９には、設定した解消タイミング以降のデータが置換されたグラフを表示する画面Ｓｃ４８が示される。
【０４０３】
図４３および図４９を参照して、処理部８６は、受付部２２から受けた操作情報に従って、画面Ｓｃ４８を示す画面情報Ｓｃｉ４８を作成し、作成した画面情報Ｓｃｉ４８を表示制御部２４へ出力する。
【０４０４】
より詳細には、処理部８６は、記憶部２５が保持する、解消タイミング以降のデータが置換された計測データ表ＭＴ２（図７参照）から過去１か月分の電力量の増分を取得し、取得した電力量の増分を用いて、機器１１１Ｂにおける消費電力量の増分の１か月分の時間変化を示す曲線Ｄａｔ４８を描画する。
【０４０５】
また、処理部８６は、記憶部２５が保持する、機器ＩＤが「２」に対応する解消タイミング表ＤＴ２（図９参照）から過去１か月分の解消タイミングのデータを取得し、取得したデータを用いて、解消タイミングを示す直線Ｌｎ４８を描画する。
【０４０６】
表示制御部２４は、処理部８６から画面情報Ｓｃｉ４８を受けると、受けた画面情報Ｓｃｉ４８に基づいて、画面Ｓｃ４８を表示装置１７１に表示する制御を行う。
【０４０７】
このような構成により、計測データ表ＭＴ１に蓄積された解消タイミング以降の機器１１１Ｂにおける消費電力量の増分を計測データ表ＭＴ２に追加することができるので、図４９に示す画面Ｓｃ４８において、「ゲーム機」における消費電力量の増分の時間変化を正確に示す曲線Ｄａｔ４８を描画することができる。
【０４０８】
以上のように、本発明の第４の実施の形態に係る電力消費管理装置では、受付部２２は、対応状況の解消タイミングの入力操作を受け付ける。処理部８６は、受付部２２が受け付けた入力操作に基づいて対応状況の情報ＩＡ４，ＩＢ４を取得する。そして、データ処理部８３は、処理部８６によって取得された情報ＩＡ４，ＩＢ４に基づいて対応状況の解消を判断する。
【０４０９】
このような構成により、機器１１１の識別情報と対応付けて保存された時系列の計測情報において、異なる機器１１１の計測結果が混在している場合においても、対応状況の解消タイミングを手動で設定することができるので、計測結果の混在状態を修正することができる。
【０４１０】
その他の構成および動作は第１の実施の形態に係る電力消費管理システムと同様であるため、ここでは詳細な説明を繰り返さない。
【０４１１】
なお、本発明の第１の実施の形態〜第４の実施の形態に係る各装置の構成要素および動作のうち、一部または全部を適宜組み合わせることも可能である。
【０４１２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０４１３】
以上の説明は、以下に付記する特徴を含む。
【０４１４】
［付記１］
電力消費管理装置であって、
計測装置による機器の時系列の計測結果を示す計測情報および前記計測装置の識別情報を取得する第１取得部と、
前記機器の識別情報を取得する第２取得部と、
前記計測装置の識別情報を用いて、前記計測情報と前記機器の識別情報とを対応付けて保存するデータ処理部とを備え、
前記データ処理部は、前記計測装置と前記機器との対応状況が解消された場合、前記第１取得部によって新たに取得された前記計測情報と前記機器の識別情報との対応付けを行わず、
前記計測装置の識別情報は、エコーネットライトＩＤであり、
前記機器の識別情報は、ユーザにより登録され、
前記電力消費管理装置は、さらに、
前記エコーネットライトＩＤおよび前記機器の識別情報の対応関係を示す対応表を保持する記憶部を備え、
前記データ処理部は、前記記憶部が保持する前記対応表から前記エコーネットライトＩＤに対応する前記機器の識別情報を取得し、前記計測情報と取得した前記機器の識別情報とを対応付けて保存し、
前記電力消費管理装置は、さらに、
前記対応状況が解消された場合、前記記憶部が保持する前記対応表において、前記エコーネットライトＩＤに対応する前記機器の識別情報を削除する削除処理を行う削除部を備え、
前記データ処理部は、前記対応状況が解消された場合、前記削除部によって前記削除処理が行われた前記対応表に基づいて、前記第１取得部によって新たに取得された前記計測情報と前記機器の識別情報との対応付けを行わない、電力消費管理装置。
【０４１５】
［付記２］
計測対象の機器の計測を行う計測装置と、
電力消費管理装置とを備え、
前記計測装置は、前記機器の時系列の計測結果を示す計測情報および前記計測装置の識別情報を前記電力消費管理装置へ送信し、
前記電力消費管理装置は、前記計測情報および前記計測装置の識別情報を前記計測装置から受信し、前記機器の識別情報を取得し、前記計測装置の識別情報を用いて、前記計測情報と前記機器の識別情報とを対応付けて保存し、
前記電力消費管理装置は、前記計測装置と前記機器との対応状況が解消された場合、新たに受信した前記計測情報と前記機器の識別情報との対応付けを行わず、
前記計測装置の識別情報は、エコーネットライトＩＤであり、
前記機器の識別情報は、ユーザにより登録され、
前記電力消費管理装置は、前記エコーネットライトＩＤおよび前記機器の識別情報の対応関係を示す対応表を保持し、
前記電力消費管理装置は、前記対応表から前記エコーネットライトＩＤに対応する前記機器の識別情報を取得し、前記計測情報と取得した前記機器の識別情報とを対応付けて保存し、
前記電力消費管理装置は、前記対応状況が解消された場合、前記対応表において、前記エコーネットライトＩＤに対応する前記機器の識別情報を削除する削除処理を行い、
前記電力消費管理装置は、前記対応状況が解消された場合、前記削除処理が行われた前記対応表に基づいて、新たに受信した前記計測情報と前記機器の識別情報との対応付けを行わない、電力消費管理システム。
【符号の説明】
【０４１６】
１１  内部ネットワーク
２１  通信部（第１取得部）
２２  受付部
２３  データ処理部
２４  表示制御部
２５  記憶部
２６  処理部（第２取得部）
２７  カウンタ
３６  処理部（第２取得部）
４１  プラグ受け
４２  計測装置
４３  検出部
４４  無線通信部
４５  電流センサ
４６  不揮発性メモリ
４７  計測部
４８  カウンタ
５１  プラグ受け
５２  計測装置
５３  スイッチ部
６１Ａ，６１Ｂ，６１Ｃ，６１Ｄ，６１Ｅ  プラグ
７１  通信部（第１取得部および第３取得部）
７３  データ処理部
７６  処理部（第２取得部）
８３  データ処理部
８６  処理部（第２取得部および第４取得部）
１０１，１０２，１０３，１０４  電力消費管理装置
１１１Ａ，１１１Ｂ，１１１Ｃ  機器
１５１Ａ，１５１Ｂ  電源タップ
１５２Ａ，１５２Ｂ  電源タップ
１６１  アクセスポイント
１７１  表示装置
３０１，３０２，３０３  電力消費管理システム
【図１】
2017158321.tif 000003
【図２】
2017158321.tif 000004
【図３】
2017158321.tif 000005
【図４】
2017158321.tif 000006
【図５】
2017158321.tif 000007
【図６】
2017158321.tif 000008
【図７】
2017158321.tif 000009
【図８】
2017158321.tif 000010
【図９】
2017158321.tif 000011
【図１０】
2017158321.tif 000012
【図１１】
2017158321.tif 000013
【図１２】
2017158321.tif 000014
【図１３】
2017158321.tif 000015
【図１４】
2017158321.tif 000016
【図１５】
2017158321.tif 000017
【図１６】
2017158321.tif 000018
【図１７】
2017158321.tif 000019
【図１８】
2017158321.tif 000020
【図１９】
2017158321.tif 000021
【図２０】
2017158321.tif 000022
【図２１】
2017158321.tif 000023
【図２２】
2017158321.tif 000024
【図２３】
2017158321.tif 000025
【図２４】
2017158321.tif 000026
【図２５】
2017158321.tif 000027
【図２６】
2017158321.tif 000028
【図２７】
2017158321.tif 000029
【図２８】
2017158321.tif 000030
【図２９】
2017158321.tif 000031
【図３０】
2017158321.tif 000032
【図３１】
2017158321.tif 000033
【図３２】
2017158321.tif 000034
【図３３】
2017158321.tif 000035
【図３４】
2017158321.tif 000036
【図３５】
2017158321.tif 000037
【図３６】
2017158321.tif 000038
【図３７】
2017158321.tif 000039
【図３８】
2017158321.tif 000040
【図３９】
2017158321.tif 000041
【図４０】
2017158321.tif 000042
【図４１】
2017158321.tif 000043
【図４２】
2017158321.tif 000044
【図４３】
2017158321.tif 000045
【図４４】
2017158321.tif 000046
【図４５】
2017158321.tif 000047
【図４６】
2017158321.tif 000048
【図４７】
2017158321.tif 000049
【図４８】
2017158321.tif 000050
【図４９】
2017158321.tif 000051